(57)【要約】      （修正有）【課題】  自然散策効果解析シートにおいて自然散策の効果をその場で参加者に科学的なデータとして直ちに示すことができ、自然散策の効果を実感してもらえること。【解決手段】  自然散策セルフガイドシート２には、小型デジタルカメラで撮影された参加者の自然散策前の顔写真４Ａと自然散策後の顔写真４Ｂ、及びカラーチップ６が貼り付けられる。ガイドシート２は、氏名等記入欄を有しガイドシート２の使い方を記載した欄を有する表紙ページ２Ａ、自然散策前の気持ちと自然散策後の気持ちをそれぞれ１０項目の質問について７段階で数値化するチェックページ、自然散策前の顔写真４Ａと自然散策後の顔写真４Ｂを並べて貼り付ける欄と、散策前・散策後の気分を表すカラーチップ６を貼り付ける欄とを有するページ２Ｃ、そしてチェックページ２Ｂに記入した数値を六角形グラフ化して比較する比較レーダーチャートのページとから構成されている。【選択図】        図１
2006221216.tif 000002
【特許請求の範囲】
【請求項１】
自然散策の参加者に配布され、前記参加者が記入し、前記自然散策の終了後に前記参加者に返却される自然散策効果解析シートであって、
該自然散策効果解析シートの使い方が記載された欄と、
前記参加者の氏名及び／または前記参加者の会員番号及び／または前記自然散策の実施日を記入する欄と、
前記自然散策前と前記自然散策後の参加者の気持ちを尋ねるそれぞれ対応する３項目以上の質問が記載され、該質問に対して３段階以上の複数の段階を示す数値で回答して該数値を記入する欄と、
前記数値を記入する欄に記入された３個以上の数値の全部または一部を用いて前記自然散策前の参加者の気持ちを表す三角形以上の多角形のレーダーチャートと前記自然散策後の参加者の気持ちを表す三角形以上の多角形のレーダーチャートを作成する欄と
を有することを特徴とする自然散策効果解析シート。
【請求項２】
さらに前記自然散策前の参加者の気分を表す色のカラーチップと前記自然散策後の参加者の気分を表す色のカラーチップとをそれぞれ貼り付ける欄を有することを特徴とする請求項１に記載の自然散策効果解析シート。
【請求項３】
さらに前記自然散策前の参加者の写真と前記自然散策後の参加者の写真とをそれぞれ貼り付ける欄を有することを特徴とする請求項１または請求項２に記載の自然散策効果解析シート。
【請求項４】
さらに前記自然散策前の参加者の最高血圧・最低血圧及び脈拍数と前記自然散策後の参加者の最高血圧・最低血圧及び脈拍数とをそれぞれ記入する欄を有することを特徴とする請求項１乃至請求項３のいずれか１つに記載の自然散策効果解析シート。
【請求項５】
さらに前記自然散策前の参加者の顔及び／または手足の表面温度分布を色で表すサーモグラフィのデータと前記自然散策後の参加者の顔及び／または手足の表面温度分布を色で表すサーモグラフィのデータとをそれぞれ貼り付ける欄を有することを特徴とする請求項１乃至請求項４のいずれか１つに記載の自然散策効果解析シート。
【請求項６】
前記各欄がコピー防止用紙に印刷されていることを特徴とする請求項１乃至請求項５のいずれか１つに記載の自然散策効果解析シート。
【請求項７】
入力すべき項目、回答すべき質問、自然散策の参加者の気分を表す色の複数色の色サンプル、及び解析結果を表示する表示手段と、
前記参加者の氏名及び／または前記参加者を特定できるデータ及び／または前記自然散策の実施日と、前記自然散策前と前記自然散策後の参加者の気持ちについてそれぞれ対応する３項目以上の質問に対して３段階以上の複数の段階を示す数値で回答する該数値とを入力する文字データ入力手段と、
前記自然散策前の参加者の気分を表す色と前記自然散策後の参加者の気分を表す色とを前記複数色の色サンプルから選択してそれぞれ入力する色データ入力手段と、
入力された各データを解析して、前記３項目以上の質問に対する３段階以上の複数の段階を示す３個以上の数値から前記自然散策前と前記自然散策後の参加者の気持ちを表す三角形以上の多角形のレーダーチャートを作成する解析手段と、
該解析手段に前記表示手段による表示と前記文字データ入力手段及び前記色データ入力手段による入力等を実行させるためのプログラム（自然散策効果解析プログラム）及び解析に必要なプログラムを入力するプログラム入力手段と、
入力された前記プログラム及びデータを保存し、前記解析手段に前記プログラム及び前記データを供給するとともに、前記解析手段が作成した前記レーダーチャートのデータを保存するデータ保存手段と
を具備することを特徴とする自然散策効果解析装置。
【請求項８】
さらに、前記解析手段が作成した前記レーダーチャート及び／または前記入力された色データを画像として出力するデータ出力手段を具備することを特徴とする請求項７に記載の自然散策効果解析装置。
【請求項９】
さらに前記解析手段は前記自然散策前の参加者の気分を表す色と前記自然散策後の参加者の気分を表す色とをそれぞれ数値化するとともに前記自然散策前後の参加者の気分変化をも数値化し、前記データ保存手段は前記数値化された色のデータをも保存し、前記表示手段は前記数値化された色のデータをも数値として表示し、前記データ出力手段は前記数値化された色のデータをも数値として出力することを特徴とする請求項７または請求項８に記載の自然散策効果解析装置。
【請求項１０】
さらに前記自然散策前の参加者の写真データと前記自然散策後の参加者の写真データとをそれぞれ入力する写真データ入力手段を具備し、
前記データ保存手段は前記入力された写真データをも保存し、前記表示手段は前記入力された写真データをも画像として表示し、前記データ出力手段は前記入力された写真データを画像として出力することを特徴とする請求項７乃至請求項９のいずれか１つに記載の自然散策効果解析装置。
【請求項１１】
さらに前記解析手段は前記入力された写真データをも画像解析して数値化するとともに、前記データ保存手段は前記数値化された写真データをも保存し、前記表示手段は前記数値化された写真データをも数値として表示し、前記データ出力手段は前記数値化された写真データをも数値として出力することを特徴とする請求項１０に記載の自然散策効果解析装置。
【請求項１２】
さらに前記文字データ入力手段は前記自然散策前の参加者の最高血圧・最低血圧及び脈拍数と前記自然散策後の参加者の最高血圧・最低血圧及び脈拍数とをそれぞれ数値として入力し、前記データ保存手段は前記入力された最高血圧・最低血圧及び脈拍数の数値データをも保存し、前記表示手段は前記最高血圧・最低血圧及び脈拍数の数値データをも数値として表示し、前記データ出力手段は前記最高血圧・最低血圧及び脈拍数の数値データをも数値として出力することを特徴とする請求項７乃至請求項１１のいずれか１つに記載の自然散策効果解析装置。
【請求項１３】
さらに前記自然散策前の参加者の顔及び／または手足の表面温度分布を色で表すサーモグラフィのデータと前記自然散策後の参加者の顔及び／または手足の表面温度分布を色で表すサーモグラフィのデータとをそれぞれ入力するサーモグラフィデータ入力手段を具備し、
前記データ保存手段は前記サーモグラフィのデータをも保存し、前記表示手段は前記入力されたサーモグラフィのデータをも画像として表示し、前記データ出力手段は前記入力されたサーモグラフィのデータをも画像として出力することを特徴とする請求項７乃至請求項１２のいずれか１つに記載の自然散策効果解析装置。
【請求項１４】
さらに前記解析手段は前記入力されたサーモグラフィのデータをも画像解析して数値化するとともに、前記データ保存手段は前記数値化されたサーモグラフィのデータをも保存し、前記表示手段は前記数値化されたサーモグラフィのデータをも数値として表示し、前記データ出力手段は前記数値化されたサーモグラフィのデータをも数値として出力することを特徴とする請求項１３に記載の自然散策効果解析装置。
【請求項１５】
自然散策の参加者の氏名及び／または前記参加者を特定できるデータ及び／または前記自然散策の実施日を入力手段によって入力させる手順と、
前記自然散策前の参加者の気持ちについて３項目以上の質問を表示手段に表示させる手順と、
前記３項目以上の質問に対して３段階以上の複数の段階を示す数値で回答して該数値を前記入力手段によって入力させる手順と、
複数色の色サンプルを前記表示手段に表示させる手順と、
前記複数色の色サンプルの中から前記自然散策前の参加者の気分を表す色を選択させて前記入力手段によって入力させる手順と、
前記自然散策後に前記参加者の氏名及び／または前記参加者を特定できるデータを前記入力手段によって入力させる手順と、
前記自然散策後の参加者の気持ちについて前記自然散策前の前記３項目以上の質問にそれぞれ対応する３項目以上の質問を前記表示手段に表示させる手順と、
前記それぞれ対応する３項目以上の質問に対して前記３段階以上の複数の段階を示す数値で回答して該数値を前記入力手段によって入力させる手順と、
前記複数色の色サンプルを前記表示手段に再度表示させる手順と、
前記複数色の色サンプルの中から前記自然散策後の参加者の気分を表す色を選択させて前記入力手段によって入力させる手順と、
入力された前記３項目以上の質問に対する３段階以上の複数の段階を示す３個以上の数値から前記自然散策前と前記自然散策後の参加者の気持ちを表す三角形以上の多角形のレーダーチャートをそれぞれ作成する手順と、
前記作成したレーダーチャートのデータ及び前記選択された色サンプルのデータを保存する手順と、
前記作成したレーダーチャート及び前記選択された色サンプルの画像を前記表示手段に表示し、及び／またはデータ出力手段によって出力する手順と
をコンピュータに実行させるプログラムを記録したことを特徴とするコンピュータ読み取り可能な記録媒体。
【請求項１６】
前記作成したレーダーチャートのデータ及び前記選択された色サンプルのデータを保存する手順と、前記作成したレーダーチャート及び前記選択された色サンプルの画像を前記表示手段に表示し、及び／またはデータ出力手段によって出力する手順の代わりに、
入力された前記自然散策前の参加者の気分を表す前記選択された色サンプルのデータと前記自然散策後の参加者の気分を表す前記選択された色サンプルのデータとをそれぞれ数値化する手順と、
前記作成したレーダーチャートのデータ及び前記選択された色サンプルのデータ及び前記数値化された色のデータを保存する手順と、
前記作成したレーダーチャート及び前記選択された色サンプルの画像及び前記数値化された色のデータの数値を前記表示手段に表示し、及び／またはデータ出力手段によって出力する手順と
をコンピュータに実行させるプログラムを記録したことを特徴とする請求項１５に記載のコンピュータ読み取り可能な記録媒体。
【請求項１７】
自然散策の参加者の氏名及び／または前記参加者を特定できるデータ及び／または前記自然散策の実施日を入力手段によって入力させる手順と、
前記自然散策前の参加者の気持ちについて３項目以上の質問を表示手段に表示させる手順と、
前記３項目以上の質問に対して３段階以上の複数の段階を示す数値で回答して該数値を前記入力手段によって入力させる手順と、
複数色の色サンプルを前記表示手段に表示させる手順と、
前記複数色の色サンプルの中から前記自然散策前の参加者の気分を表す色を選択させて前記入力手段によって入力させる手順と、
前記自然散策前の参加者の写真データ及び／または前記自然散策前の参加者の最高血圧・最低血圧及び脈拍数を数値で表す数値データ及び／または前記自然散策前の参加者の顔及び／または手足の表面温度分布を色で表すサーモグラフィのデータを入力させる手順と、
前記自然散策後に前記参加者の氏名及び／または前記参加者を特定できるデータを前記入力手段によって入力させる手順と、
前記自然散策後の参加者の気持ちについて前記自然散策前の前記３項目以上の質問にそれぞれ対応する３項目以上の質問を前記表示手段に表示させる手順と、
前記それぞれ対応する３項目以上の質問に対して前記３段階以上の複数の段階を示す数値で回答して該数値を前記入力手段によって入力させる手順と、
前記複数色の色サンプルを前記表示手段に再度表示させる手順と、
前記複数色の色サンプルの中から前記自然散策後の参加者の気分を表す色を選択させて前記入力手段によって入力させる手順と、
前記自然散策後の参加者の写真データ及び／または前記自然散策後の参加者の最高血圧・最低血圧及び脈拍数を数値で表す数値データ及び／または前記自然散策後の参加者の顔及び／または手足の表面温度分布を色で表すサーモグラフィのデータを入力させる手順と、
入力された前記３項目以上の質問に対する３段階以上の複数の段階を示す３個以上の数値から前記自然散策前と前記自然散策後の参加者の気持ちを表す三角形以上の多角形のレーダーチャートを作成する手順と、
前記作成したレーダーチャートのデータ、前記入力された色サンプルのデータ及び前記入力された写真データ及び／または前記最高血圧・最低血圧及び脈拍数を数値で表す数値データ及び／または前記サーモグラフィのデータを保存する手順と、
前記作成したレーダーチャート、前記色サンプルの画像、前記写真データの画像及び／または前記最高血圧・最低血圧及び脈拍数の数値及び／または前記サーモグラフィのデータの画像を前記表示手段に表示し、及び／またはデータ出力手段によって出力する手順と
をコンピュータに実行させるプログラムを記録したことを特徴とするコンピュータ読み取り可能な記録媒体。
【請求項１８】
前記作成したレーダーチャートのデータ、前記入力された色サンプルのデータ及び前記入力された写真データ及び／または前記最高血圧・最低血圧及び脈拍数を数値で表す数値データ及び／または前記サーモグラフィのデータを保存する手順と、前記作成したレーダーチャート、前記色サンプルの画像、前記写真データの画像及び／または前記最高血圧・最低血圧及び脈拍数の数値及び／または前記サーモグラフィのデータの画像を前記表示手段に表示し、及び／またはデータ出力手段によって出力する手順の代わりに、
入力された前記自然散策前の参加者の気分を表す色と前記自然散策後の参加者の気分を表す色とをそれぞれ数値化する手順と、
入力された前記自然散策前の参加者の写真データ及び／または前記サーモグラフィのデータと前記自然散策後の参加者の写真データ及び／または前記サーモグラフィのデータとをそれぞれ数値化する手順と、
前記作成したレーダーチャートのデータ、前記数値化された色のデータ及び前記数値化された写真データ及び／または前記最高血圧・最低血圧及び脈拍数を数値で表す数値データ及び／または前記サーモグラフィのデータを保存する手順と、
前記作成したレーダーチャート、前記数値化された色のデータの数値及び／または前記色サンプルの画像、前記数値化された写真データの数値及び／または前記写真データの画像、及び／または前記最高血圧・最低血圧及び脈拍数の数値、及び／または前記数値化されたサーモグラフィのデータの数値及び／または前記サーモグラフィのデータの画像を前記表示手段に表示し、及び／またはデータ出力手段によって出力する手順と
をコンピュータに実行させるプログラムを記録したことを特徴とする請求項１７に記載のコンピュータ読み取り可能な記録媒体。
【請求項１９】
前記自然散策前の参加者の写真データ及び前記自然散策後の参加者の写真データとして、小人数ごとの集合写真を撮影し、該集合写真から該当する参加者の写真を抽出して用いることを特徴とする請求項１０乃至請求項１４のいずれか１つに記載の自然散策効果解析装置、或いは請求項１７または請求項１８に記載のコンピュータ読み取り可能な記録媒体。
【請求項２０】
前記３項目以上の質問は５項目以上１５項目以下であることを特徴とする請求項１乃至請求項６のいずれか１つに記載の自然散策効果解析シートまたは請求項７乃至請求項１４のいずれか１つに記載の自然散策効果解析装置または請求項１５乃至請求項１９のいずれか１つに記載のコンピュータ読み取り可能な記録媒体。
【請求項２１】
前記３項目以上の質問の中に、前記自然散策を担当した案内人に対する前記自然散策後の参加者による感想を前記３段階以上の複数の段階を示す数値で回答する質問を入れておき、前記数値を全参加者について平均することにより案内人指数を算出し、該案内人指数に基いて前記自然散策後の参加者の気持ちを表すレーダーチャートを補正することを特徴とする請求項１乃至請求項６または請求項２０のいずれか１つに記載の自然散策効果解析シート、或いは請求項７乃至請求項１４または請求項２０のいずれか１つに記載の自然散策効果解析装置、或いは請求項１５乃至請求項２０のいずれか１つに記載のコンピュータ読み取り可能な記録媒体。
【請求項２２】
前記３段階以上の複数の段階は５段階以上９段階以下であることを特徴とする請求項１乃至請求項６または請求項２０，請求項２１のいずれか１つに記載の自然散策効果解析シート、或いは請求項７乃至請求項１４または請求項２０，請求項２１のいずれか１つに記載の自然散策効果解析装置、或いは請求項１５乃至請求項２１のいずれか１つに記載のコンピュータ読み取り可能な記録媒体。
【請求項２３】
前記複数色のカラーチップまたは前記複数色の色サンプルは５色以上２０色以下であることを特徴とする請求項２乃至請求項６または請求項２０乃至請求項２２のいずれか１つに記載の自然散策効果解析シート、或いは請求項７乃至請求項１４または請求項２０乃至請求項２２のいずれか１つに記載の自然散策効果解析装置、或いは請求項１５乃至請求項２２のいずれか１つに記載のコンピュータ読み取り可能な記録媒体。
【請求項２４】
前記請求項１乃至請求項６または請求項２０乃至請求項２３のいずれか１つに記載の自然散策効果解析シートを参加者数以上の枚数と、
参加者の気分を表すための複数色のカラーチップを参加者数の２倍以上の枚数ずつ収納したカラーチップ用ファイルと
を具備することを特徴とする自然散策効果解析セット。
【発明の詳細な説明】
【技術分野】
【０００１】
本発明は、森林浴、森林散策等の自然散策の効果を、場所を選ばず容易に客観的データとして得ることができる自然散策効果解析シート、自然散策効果解析装置及びそれに用いられるプログラムを記録したコンピュータ読み取り可能な記録媒体、並びに自然散策効果解析セットに関するものである。
【背景技術】
【０００２】
１９８２年に、当時の林野庁長官によって「森林浴」の提唱が行われて以来、森の中を散策することは健康に良いという一般的な理解が進み、「森林浴」が１種のブームになるとともに、森林散策が人に及ぼす影響を科学的に解析しようという研究が近年盛んになってきた。
【０００３】
例えば、非特許文献１においては、主として生理学的な見地から森林浴実験を行い、唾液中のストレスホルモン濃度の低下や、最高血圧の低下、総ヘモグロビン濃度及び酸化ヘモグロビン濃度の減少（脳活動の鎮静化）、脳血流量の減少といった生理学的データを示すことによって森林浴のストレス解消効果を科学的に実証している。さらに、森林浴実験において６５項目からなる質問紙を配布し、各質問に対して５段階で回答させて、それらを六つの感情尺度に分けて点数化したところ、森林浴は「緊張−不安」「混乱」「抑鬱−落ち込み」「怒り−敵意」「疲労」の感情尺度を減少させ、「活気」については逆に増加させることが判明した（非特許文献１の６４頁〜８１頁）。
【０００４】
また、非特許文献２においては、「森林療法研究会」を実施してその際に「セルフカウンセリング記入用紙」を参加者に配布し、森に入る前と森に入ってからの自分の悩みや抱えている問題について具体的に記入させるとともに、その解決策を書き出させたり、森の中で自分のくつろげる居場所とその理由を書き出させたりしている。そして、終了後にはセルフカウンセリングの効果についてのアンケート用紙を配布して、３問の設問「森に入る前と比べて、自分の問題や悩みの度合いはいかがですか？」「森に入る前と比べて、自分自身を受け入れることができるようになりましたか？」「森の中でのセルフカウンセリングには効果があると思いますか？」について９段階評価で回答させて、その結果を棒グラフにまとめている（非特許文献２の１５６頁〜１７１頁）。
【非特許文献１】宮崎良文・著「森林浴はなぜ体にいいか」、発行所・文藝春秋社（文春新書３２９）、初版刊行年月日・２００３年７月２０日
【非特許文献２】上原巌・著「森林療法序説−森の癒しことはじめ」、発行所・社団法人全国林業改良普及協会（林業改良普及双書１４２）、初版刊行年月日・２００３年２月２５日
【発明の開示】
【発明が解決しようとする課題】
【０００５】
上述した非特許文献１，２にかかる研究結果は、確かにある程度科学的に森林浴・森林散策の効果を実証したものと言える。しかしながら、上記非特許文献１における実験は６５項目からなる質問紙への記入と唾液サンプルの採取のみを実際の森林において行い、他の実験は室内において大型ディスプレイを用いて森林の画像を映し出した状態で、血圧計や近赤外線分光法による前頭部の脳活動の測定装置等を用いて行われたものであり、実際の森林で行われたものではない。６５項目からなる質問紙の解析と採取した唾液サンプルの測定も、実験室に戻ってからしか行うことができず、参加者がその場で直ちに結果を知ることができない。
【０００６】
また、上記非特許文献２におけるアンケート用紙等の集計結果も後日でなければ判明せず、森林浴・森林散策の効果を参加者がその場で直ちにデータとして実感できないという問題点があった。
【０００７】
そこで、本発明は森林浴・森林散策を始めとする自然散策の効果をその場で参加者に科学的なデータとして直ちに示すことができ、自然散策の効果を実感してもらうことができる自然散策効果解析シート、自然散策効果解析装置及びそれに用いられるプログラムを記録したコンピュータ読み取り可能な記録媒体、及び自然散策効果解析セットを提供することを課題とするものである。
【課題を解決するための手段】
【０００８】
請求項１の発明にかかる自然散策効果解析シートは、自然散策の参加者に配布され、前記参加者が記入し、前記自然散策の終了後に前記参加者に返却される自然散策効果解析シートであって、該自然散策効果解析シートの使い方が記載された欄と、前記参加者の氏名及び／または前記参加者の会員番号及び／または前記自然散策の実施日を記入する欄と、前記自然散策前と前記自然散策後の参加者の気持ちを尋ねるそれぞれ対応する３項目以上の質問が記載され、該質問に対して３段階以上の複数の段階を示す数値で回答して該数値を記入する欄と、前記数値を記入する欄に記入された３個以上の数値の全部または一部を用いて前記自然散策前の参加者の気持ちを表す三角形以上の多角形のレーダーチャートと前記自然散策後の参加者の気持ちを表す三角形以上の多角形のレーダーチャートを作成する欄とを有するものである。
【０００９】
請求項２の発明にかかる自然散策効果解析シートは、請求項１の構成において、さらに前記自然散策前の参加者の気分を表す色のカラーチップと前記自然散策後の参加者の気分を表す色のカラーチップとをそれぞれ貼り付ける欄を有するものである。
【００１０】
請求項３の発明にかかる自然散策効果解析シートは、請求項１または請求項２の構成において、さらに前記自然散策前の参加者の写真と前記自然散策後の参加者の写真とをそれぞれ貼り付ける欄を有するものである。
【００１１】
請求項４の発明にかかる自然散策効果解析シートは、請求項１乃至請求項３のいずれか１つの構成において、さらに前記自然散策前の参加者の最高血圧・最低血圧及び脈拍数と前記自然散策後の参加者の最高血圧・最低血圧及び脈拍数とをそれぞれ記入する欄を有するものである。
【００１２】
請求項５の発明にかかる自然散策効果解析シートは、請求項１乃至請求項４のいずれか１つの構成において、さらに前記自然散策前の参加者の顔及び／または手足の表面温度分布を色で表すサーモグラフィのデータと前記自然散策後の参加者の顔及び／または手足の表面温度分布を色で表すサーモグラフィのデータとをそれぞれ貼り付ける欄を有するものである。
【００１３】
請求項６の発明にかかる自然散策効果解析シートは、請求項１乃至請求項５のいずれか１つの構成において、前記各欄がコピー防止用紙に印刷されているものである。
【００１４】
請求項７の発明にかかる自然散策効果解析装置は、入力すべき項目、回答すべき質問、自然散策の参加者の気分を表す色の複数色の色サンプル、及び解析結果を表示する表示手段と、前記参加者の氏名及び／または前記参加者を特定できるデータ及び／または前記自然散策の実施日と、前記自然散策前と前記自然散策後の参加者の気持ちについてそれぞれ対応する３項目以上の質問に対して３段階以上の複数の段階を示す数値で回答する該数値とを入力する文字データ入力手段と、前記自然散策前の参加者の気分を表す色と前記自然散策後の参加者の気分を表す色とを前記複数色の色サンプルから選択してそれぞれ入力する色データ入力手段と、入力された各データを解析して、前記３項目以上の質問に対する３段階以上の複数の段階を示す３個以上の数値から前記自然散策前と前記自然散策後の参加者の気持ちを表す三角形以上の多角形のレーダーチャートを作成する解析手段と、該解析手段に前記表示手段による表示と前記文字データ入力手段及び前記色データ入力手段による入力等を実行させるためのプログラム（自然散策効果解析プログラム）及び解析に必要なプログラムを入力するプログラム入力手段と、入力された前記プログラム及びデータを保存し、前記解析手段に前記プログラム及び前記データを供給するとともに、前記解析手段が作成した前記レーダーチャートのデータを保存するデータ保存手段とを具備するものである。
【００１５】
請求項８の発明にかかる自然散策効果解析装置は、請求項７の構成において、さらに前記解析手段が作成した前記レーダーチャート及び／または前記入力された色データを画像として出力するデータ出力手段を具備するものである。
【００１６】
請求項９の発明にかかる自然散策効果解析装置は、請求項７または請求項８の構成において、さらに前記解析手段は前記自然散策前の参加者の気分を表す色と前記自然散策後の参加者の気分を表す色とをそれぞれ数値化するとともに前記自然散策前後の参加者の気分変化をも数値化し、前記データ保存手段は前記数値化された色のデータをも保存し、前記表示手段は前記数値化された色のデータをも数値として表示し、前記データ出力手段は前記数値化された色のデータをも数値として出力するものである。
【００１７】
請求項１０の発明にかかる自然散策効果解析装置は、請求項７乃至請求項９のいずれか１つの構成において、さらに前記自然散策前の参加者の写真データと前記自然散策後の参加者の写真データとをそれぞれ入力する写真データ入力手段を具備し、前記データ保存手段は前記入力された写真データをも保存し、前記表示手段は前記入力された写真データをも画像として表示し、前記データ出力手段は前記入力された写真データを画像として出力するものである。
【００１８】
請求項１１の発明にかかる自然散策効果解析装置は、請求項１０の構成において、さらに前記解析手段は前記入力された写真データをも画像解析して数値化するとともに、前記データ保存手段は前記数値化された写真データをも保存し、前記表示手段は前記数値化された写真データをも数値として表示し、前記データ出力手段は前記数値化された写真データをも数値として出力するものである。
【００１９】
請求項１２の発明にかかる自然散策効果解析装置は、請求項７乃至請求項１１のいずれか１つに記載の構成において、さらに前記文字データ入力手段は前記自然散策前の参加者の最高血圧・最低血圧及び脈拍数と前記自然散策後の参加者の最高血圧・最低血圧及び脈拍数とをそれぞれ数値として入力し、前記データ保存手段は前記入力された最高血圧・最低血圧及び脈拍数の数値データをも保存し、前記表示手段は前記最高血圧・最低血圧及び脈拍数の数値データをも数値として表示し、前記データ出力手段は前記最高血圧・最低血圧及び脈拍数の数値データをも数値として出力するものである。
【００２０】
請求項１３の発明にかかる自然散策効果解析装置は、請求項７乃至請求項１２のいずれか１つに記載の構成において、さらに前記自然散策前の参加者の顔及び／または手足の表面温度分布を色で表すサーモグラフィのデータと前記自然散策後の参加者の顔及び／または手足の表面温度分布を色で表すサーモグラフィのデータとをそれぞれ入力するサーモグラフィデータ入力手段を具備し、前記データ保存手段は前記サーモグラフィのデータをも保存し、前記表示手段は前記入力されたサーモグラフィのデータをも画像として表示し、前記データ出力手段は前記入力されたサーモグラフィのデータをも画像として出力するものである。
【００２１】
請求項１４の発明にかかる自然散策効果解析装置は、請求項１３の構成において、さらに前記解析手段は前記入力されたサーモグラフィのデータをも画像解析して数値化するとともに、前記データ保存手段は前記数値化されたサーモグラフィのデータをも保存し、前記表示手段は前記数値化されたサーモグラフィのデータをも数値として表示し、前記データ出力手段は前記数値化されたサーモグラフィのデータをも数値として出力するものである。
【００２２】
請求項１５の発明にかかるコンピュータ読み取り可能な記録媒体は、自然散策の参加者の氏名及び／または前記参加者を特定できるデータ及び／または前記自然散策の実施日を入力手段によって入力させる手順と、前記自然散策前の参加者の気持ちについて３項目以上の質問を表示手段に表示させる手順と、前記３項目以上の質問に対して３段階以上の複数の段階を示す数値で回答して該数値を前記入力手段によって入力させる手順と、複数色の色サンプルを前記表示手段に表示させる手順と、前記複数色の色サンプルの中から前記自然散策前の参加者の気分を表す色を選択させて前記入力手段によって入力させる手順と、前記自然散策後に前記参加者の氏名及び／または前記参加者を特定できるデータを前記入力手段によって入力させる手順と、前記自然散策後の参加者の気持ちについて前記自然散策前の前記３項目以上の質問にそれぞれ対応する３項目以上の質問を前記表示手段に表示させる手順と、前記それぞれ対応する３項目以上の質問に対して前記３段階以上の複数の段階を示す数値で回答して該数値を前記入力手段によって入力させる手順と、前記複数色の色サンプルを前記表示手段に再度表示させる手順と、前記複数色の色サンプルの中から前記自然散策後の参加者の気分を表す色を選択させて前記入力手段によって入力させる手順と、入力された前記３項目以上の質問に対する３段階以上の複数の段階を示す３個以上の数値から前記自然散策前と前記自然散策後の参加者の気持ちを表す三角形以上の多角形のレーダーチャートをそれぞれ作成する手順と、前記作成したレーダーチャートのデータ及び前記選択された色サンプルのデータを保存する手順と、前記作成したレーダーチャート及び前記選択された色サンプルの画像を前記表示手段に表示し、及び／またはデータ出力手段によって出力する手順とをコンピュータに実行させるプログラムを記録したものである。
【００２３】
請求項１６の発明にかかるコンピュータ読み取り可能な記録媒体は、請求項１５の構成において、前記作成したレーダーチャートのデータ及び前記選択された色サンプルのデータを保存する手順と、前記作成したレーダーチャート及び前記選択された色サンプルの画像を前記表示手段に表示し、及び／またはデータ出力手段によって出力する手順の代わりに、入力された前記自然散策前の参加者の気分を表す前記選択された色サンプルのデータと前記自然散策後の参加者の気分を表す前記選択された色サンプルのデータとをそれぞれ数値化する手順と、前記作成したレーダーチャートのデータ及び前記選択された色サンプルのデータ及び前記数値化された色のデータを保存する手順と、前記作成したレーダーチャート及び前記選択された色サンプルの画像及び前記数値化された色のデータの数値を前記表示手段に表示し、及び／またはデータ出力手段によって出力する手順とをコンピュータに実行させるプログラムを記録したものである。
【００２４】
請求項１７の発明にかかるコンピュータ読み取り可能な記録媒体は、自然散策の参加者の氏名及び／または前記参加者を特定できるデータ及び／または前記自然散策の実施日を入力手段によって入力させる手順と、前記自然散策前の参加者の気持ちについて３項目以上の質問を表示手段に表示させる手順と、前記３項目以上の質問に対して３段階以上の複数の段階を示す数値で回答して該数値を前記入力手段によって入力させる手順と、複数色の色サンプルを前記表示手段に表示させる手順と、前記複数色の色サンプルの中から前記自然散策前の参加者の気分を表す色を選択させて前記入力手段によって入力させる手順と、前記自然散策前の参加者の写真データ及び／または前記自然散策前の参加者の最高血圧・最低血圧及び脈拍数を数値で表す数値データ及び／または前記自然散策前の参加者の顔及び／または手足の表面温度分布を色で表すサーモグラフィのデータを入力させる手順と、前記自然散策後に前記参加者の氏名及び／または前記参加者を特定できるデータを前記入力手段によって入力させる手順と、前記自然散策後の参加者の気持ちについて前記自然散策前の前記３項目以上の質問にそれぞれ対応する３項目以上の質問を前記表示手段に表示させる手順と、前記それぞれ対応する３項目以上の質問に対して前記３段階以上の複数の段階を示す数値で回答して該数値を前記入力手段によって入力させる手順と、前記複数色の色サンプルを前記表示手段に再度表示させる手順と、前記複数色の色サンプルの中から前記自然散策後の参加者の気分を表す色を選択させて前記入力手段によって入力させる手順と、前記自然散策後の参加者の写真データ及び／または前記自然散策後の参加者の最高血圧・最低血圧及び脈拍数を数値で表す数値データ及び／または前記自然散策後の参加者の顔及び／または手足の表面温度分布を色で表すサーモグラフィのデータを入力させる手順と、入力された前記３項目以上の質問に対する３段階以上の複数の段階を示す３個以上の数値から前記自然散策前と前記自然散策後の参加者の気持ちを表す三角形以上の多角形のレーダーチャートを作成する手順と、前記作成したレーダーチャートのデータ、前記入力された色サンプルのデータ及び前記入力された写真データ及び／または前記最高血圧・最低血圧及び脈拍数を数値で表す数値データ及び／または前記サーモグラフィのデータを保存する手順と、前記作成したレーダーチャート、前記色サンプルの画像、前記写真データの画像及び／または前記最高血圧・最低血圧及び脈拍数の数値及び／または前記サーモグラフィのデータの画像を前記表示手段に表示し、及び／またはデータ出力手段によって出力する手順とをコンピュータに実行させるプログラムを記録したものである。
【００２５】
請求項１８の発明にかかるコンピュータ読み取り可能な記録媒体は、請求項１７の構成において、前記作成したレーダーチャートのデータ、前記入力された色サンプルのデータ及び前記入力された写真データ及び／または前記最高血圧・最低血圧及び脈拍数を数値で表す数値データ及び／または前記サーモグラフィのデータを保存する手順と、前記作成したレーダーチャート、前記色サンプルの画像、前記写真データの画像及び／または前記最高血圧・最低血圧及び脈拍数の数値及び／または前記サーモグラフィのデータの画像を前記表示手段に表示し、及び／またはデータ出力手段によって出力する手順の代わりに、入力された前記自然散策前の参加者の気分を表す色と前記自然散策後の参加者の気分を表す色とをそれぞれ数値化する手順と、入力された前記自然散策前の参加者の写真データ及び／または前記サーモグラフィのデータと前記自然散策後の参加者の写真データ及び／または前記サーモグラフィのデータとをそれぞれ数値化する手順と、前記作成したレーダーチャートのデータ、前記数値化された色のデータ及び前記数値化された写真データ及び／または前記最高血圧・最低血圧及び脈拍数を数値で表す数値データ及び／または前記サーモグラフィのデータを保存する手順と、前記作成したレーダーチャート、前記数値化された色のデータの数値及び／または前記色サンプルの画像、前記数値化された写真データの数値及び／または前記写真データの画像、及び／または前記最高血圧・最低血圧及び脈拍数の数値、及び／または前記数値化されたサーモグラフィのデータの数値及び／または前記サーモグラフィのデータの画像を前記表示手段に表示し、及び／またはデータ出力手段によって出力する手順とをコンピュータに実行させるプログラムを記録したものである。
【００２６】
請求項１９の発明にかかる自然散策効果解析装置またはコンピュータ読み取り可能な記録媒体は、請求項１０乃至請求項１４のいずれか１つ或いは請求項１７または請求項１８の構成において、前記自然散策前の参加者の写真データ及び前記自然散策後の参加者の写真データとして、小人数ごとの集合写真を撮影し、該集合写真から該当する参加者の写真を抽出して用いるものである。
【００２７】
請求項２０の発明にかかる自然散策効果解析シートまたは自然散策効果解析装置またはコンピュータ読み取り可能な記録媒体は、請求項１乃至請求項６のいずれか１つまたは請求項７乃至請求項１４のいずれか１つまたは請求項１５乃至請求項１９のいずれか１つの構成において、前記３項目以上の質問は５項目以上１５項目以下であるものである。
【００２８】
請求項２１の発明にかかる自然散策効果解析シートまたは自然散策効果解析装置またはコンピュータ読み取り可能な記録媒体は、請求項１乃至請求項６または請求項２０のいずれか１つ或いは請求項７乃至請求項１４または請求項２０のいずれか１つ或いは請求項１５乃至請求項２０のいずれか１つの構成において、前記３項目以上の質問の中に、前記自然散策を担当した案内人に対する前記自然散策後の参加者による感想を前記３段階以上の複数の段階を示す数値で回答する質問を入れておき、前記数値を全参加者について平均することにより案内人指数を算出し、該案内人指数に基いて前記自然散策後の参加者の気持ちを表すレーダーチャートを補正するものである。
【００２９】
請求項２２の発明にかかる自然散策効果解析シートまたは自然散策効果解析装置またはコンピュータ読み取り可能な記録媒体は、請求項１乃至請求項６または請求項２０，請求項２１のいずれか１つ或いは請求項７乃至請求項１４または請求項２０，請求項２１のいずれか１つ或いは請求項１５乃至請求項２１のいずれか１つの構成において、前記３段階以上の複数の段階は５段階以上９段階以下であるものである。
【００３０】
請求項２３の発明にかかる自然散策効果解析シートまたは自然散策効果解析装置またはコンピュータ読み取り可能な記録媒体は、請求項１乃至請求項６または請求項２０乃至請求項２２のいずれか１つ或いは請求項７乃至請求項１４または請求項２０乃至請求項２２のいずれか１つ或いは請求項１５乃至請求項２２のいずれか１つの構成において、前記複数色のカラーチップまたは前記複数色の色サンプルは５色以上２０色以下であるものである。
【００３１】
請求項２４の発明にかかる自然散策効果解析セットは、前記請求項１乃至請求項６または請求項２０乃至請求項２３のいずれか１つに記載の自然散策効果解析シートを参加者数以上の枚数と、参加者の気分を表すための複数色のカラーチップを参加者数の２倍以上の枚数ずつ収納したカラーチップ用ファイルとを具備するものである。
【発明の効果】
【００３２】
請求項１の発明にかかる自然散策効果解析シートは、自然散策の参加者に配布され、参加者が記入し、自然散策の終了後に参加者に返却されるものであって、自然散策効果解析シートの使い方が記載された欄と、参加者の氏名及び／または参加者の会員番号及び／または自然散策の実施日を記入する欄と、自然散策前と自然散策後の参加者の気持ちを尋ねるそれぞれ対応する３項目以上の質問が記載され、これらの質問に対して３段階以上の段階を示す数値で回答して数値を記入する欄と、記入された３個以上の数値の全部または一部を用いて自然散策前・後の参加者の気持ちを表す三角形以上の多角形のレーダーチャートを作成する欄とを有している。
【００３３】
ここで、「自然散策」としては、森林浴・森林散策、海岸散策、庭園散策等がある。
【００３４】
このように、本発明の自然散策効果解析シートにおいては、少なくとも参加者の氏名または会員番号が記入され、参加者の気持ちを尋ねる３項目以上の質問に自然散策前と後で３段階以上の数値でそれぞれ答え、それらの数値を用いて自然散策前後の参加者の気持ちを表す多角形のレーダーチャートが作成されるため、レーダーチャートの形状及び多角形の大きさによって、自然散策によるストレス解消効果・リラックス効果がその場で直ちに実感でき、参加者各人が自然散策効果を確かめることができる。一方、主催者側は参加者全員の自然散策効果解析シートをデジタルカメラで撮影する等の方法でデータとして保存しておき、それから参加者全員に自然散策効果解析シートを返却すれば、参加者を待たせずにデータを蓄積することができ、自然散策効果解析シートの改良にも役立てることができる。
【００３５】
このようにして、自然散策の効果をその場で参加者に科学的なデータとして直ちに示すことができ、自然散策の効果を実感してもらうことができる自然散策効果解析シートとなる。
【００３６】
請求項２の発明にかかる自然散策効果解析シートは、さらに自然散策前の参加者の気分を表す色のカラーチップと自然散策後の参加者の気分を表す色のカラーチップとをそれぞれ貼り付ける欄を有するものである。これによって、レーダーチャートだけでなく、自然散策前後のカラーチップの色の変化によって、参加者各人の気分の変化が如実に示され、自然散策によるストレス解消効果・リラックス効果がその場で直ちに実感できる。例えば、自然散策前には怒りの気持ちがあって赤色のカラーチップを選んで貼り付けた参加者が、自然散策によるストレス解消効果によって怒りの気持ちが低減され、黄色のカラーチップを選んで貼り付ける等である。
【００３７】
このようにして、自然散策の効果をその場で参加者に科学的なデータとして直ちに示すことができ、自然散策の効果を実感してもらうことができる自然散策効果解析シートとなる。
【００３８】
請求項３の発明にかかる自然散策効果解析シートは、さらに自然散策前の参加者の写真と自然散策後の参加者の写真とをそれぞれ貼り付ける欄を有するものである。
【００３９】
写真の撮影・プリントにはデジタルカメラと携帯式専用プリンタ、或いはインスタントカメラ（例えば、富士写真フィルム(株）製「チェキ」（登録商標））を用いれば、野外でも
その場で参加者に写真を配布して貼り付けてもらうことができる。本発明者の経験によれば、自然散策前と後の参加者の写真には表情に顕著な相違が表れるため、正面からの顔写真を撮影しなくても顔が写るようにスナップ写真を撮れば、却って意識して表情が硬くなることもなく自然な表情が撮影できる。このように、レーダーチャートだけでなく、自然散策前後の写真の表情の変化によって参加者各人の気分の変化が如実に示され、自然散策によるストレス解消効果・リラックス効果がその場で直ちに実感できる。
【００４０】
このようにして、自然散策の効果をその場で参加者に科学的なデータとして直ちに示すことができ、自然散策の効果を実感してもらうことができる自然散策効果解析シートとなる。
【００４１】
請求項４の発明にかかる自然散策効果解析シートは、さらに自然散策前と後の参加者の最高血圧・最低血圧及び脈拍数をそれぞれ記入する欄を有するものである。
【００４２】
参加者の最高血圧・最低血圧及び脈拍数を測定するには、携帯式のデジタル表示式血圧計を用いれば、容易に測定することができる。そこで、主催者は携帯式のデジタル表示式血圧計を１個または複数個用意しておいて、各参加者に順次測定してもらって該当する欄にそれぞれの数値を記入してもらえば良い。
【００４３】
ストレス状態とリラックス状態における血圧及び脈拍数の変化は良く知られているところであり、前記非特許文献１の６８頁〜７４頁にも実験データの一部が記載されている。したがって、各参加者は自然散策前と後の参加者の最高血圧・最低血圧及び脈拍数を数値として比較することによって、より科学的に自然散策によるストレス解消効果・リラックス効果がその場で直ちに実感できる。
【００４４】
このようにして、自然散策の効果をその場で参加者にさらに科学的なデータとして直ちに示すことができ、自然散策の効果を実感してもらうことができる自然散策効果解析シートとなる。
【００４５】
請求項５の発明にかかる自然散策効果解析シートは、さらに自然散策前と後の参加者の顔や手足の表面温度分布を色で表すサーモグラフィのデータをそれぞれ貼り付ける欄を有するものである。
【００４６】
サーモグラフィのデータを撮影・プリントするには携帯式サーモグラフィ及び携帯式専用プリンタを用いれば、野外でもその場で参加者にサーモグラフィの画像を配布して貼り付けてもらうことができる。暖かい季節には参加者も軽装であるため、顔だけでなく手足も部分的に露出しているため、サーモグラフィのデータを撮影することができる。ストレス度・リラックス度によって人の血流が変化し、それが皮膚表面温度に反映されることは良く知られているところである。そこで、自然散策前と後の参加者の顔や手足の表面温度分布を色で表すサーモグラフィの画像データを比較することによって、より科学的に自然散策によるストレス解消効果・リラックス効果がその場で直ちに実感できる。
【００４７】
このようにして、自然散策の効果をその場で参加者にさらに科学的なデータとして直ちに示すことができ、自然散策の効果を実感してもらうことができる自然散策効果解析シートとなる。
【００４８】
請求項６の発明にかかる自然散策効果解析シートは、各欄がコピー防止用紙に印刷されているものである。ここで、「コピー防止用紙」とは、各種プリンタや印刷機で文字等を印刷することが可能であり、かつ複写しようとしてコピー機器にかけるとコピー用紙全面に「複写」「ＣＯＰＹ」「複写禁止」等の文字が浮き出たり、コピー用紙全面が真っ黒になってしまったりする特殊な用紙である。自然散策効果解析シートの各欄を印刷するコピー防止用紙は、鉛筆・シャープペンシル・ボールペン等で筆記ができるものであれば、どのようなタイプのものでも良い。
【００４９】
これによって、本発明者が長年の経験と収集したデータに基いて、鋭意研究の結果作成した自然散策効果解析シートを、本発明者の許可なく不正に複写して使用される事態を未然に防ぐことができる。
【００５０】
このようにして、自然散策の効果をその場で参加者に科学的なデータとして直ちに示すことができ、自然散策の効果を実感してもらうことができるだけでなく、本発明者の許可なく不正に複写されて使用されることのない自然散策効果解析シートとなる。
【００５１】
請求項７の発明にかかる自然散策効果解析装置は、入力すべき項目、回答すべき質問、自然散策の参加者の気分を表す色の複数色の色サンプル、及び解析結果を表示する表示手段と、参加者の氏名及び／または参加者を特定できるデータ及び／または自然散策の実施日と、自然散策前と後の参加者の気持ちについてそれぞれ対応する３項目以上の質問に対して３段階以上の複数の段階を示す数値とを入力する文字データ入力手段と、自然散策前と後の参加者の気分を表す色を複数色の色サンプルから選択してそれぞれ入力する色データ入力手段と、入力された各データを解析して、３項目以上の質問に対する３段階以上の段階を示す３個以上の数値から自然散策前と後の参加者の気持ちを表す多角形のレーダーチャートを作成する解析手段と、解析手段に表示手段による表示と文字データ入力手段及び色データ入力手段による入力等を実行させるための自然散策効果解析プログラム及び解析に必要なプログラムを入力するプログラム入力手段と、入力されたプログラム及びデータを保存し、解析手段にプログラム及びデータを供給するとともに、解析手段が作成したレーダーチャートのデータを保存するデータ保存手段とを具備するものである。
【００５２】
具体的には、本発明にかかる自然散策効果解析装置はノートパソコン等の、携帯できて内部に作動用電源を内蔵しているマイクロコンピュータ（プロセッサ）使用機器を中心として構成される。近年は、低価格で高性能・高処理速度・高解像度のノートパソコンが多種類市販されているので、手軽に利用することができる。したがって、例えば森林散策においては、案内人の説明を聞きながら散策する都合上、１グループ最大２０人程度を限度としているが、それでも全員に配布できて全員が同時に記入できる前記請求項１乃至請求項６の発明にかかる自然散策効果解析シートと異なり、１人ずつ順番に入力しなければならない本発明にかかる自然散策効果解析装置においては、待ち時間が生ずるので、この待ち時間を短縮するために、複数台のノートパソコンを同時に使用することもできる。
【００５３】
本発明にかかる自然散策効果解析装置においては、少なくとも参加者の氏名または参加者を特定できるデータを文字データ入力手段で入力することによって、このデータをキーにして各入力データを保存し、表示し、或いは出力することができ、複数人の使用を可能としている。そして、３項目以上の質問及び複数色の色サンプルを表示手段に表示することによって、参加者がそれを見ながら文字データ入力手段及び色データ入力手段を用いて回答し及び選択することができる。解析処理を進めるための自然散策効果解析プログラム及び解析に必要なプログラム（本発明においてはレーダーチャート作成プログラム）はプログラム入力手段によって入力され、データ保存手段に保存される。
【００５４】
そして、解析手段においてレーダーチャートがレーダーチャート作成プログラムに基いて作成され、レーダーチャートのデータがデータ保存手段に保存されるとともに、作成された自然散策前と後のレーダーチャート及び色サンプルが表示手段に表示される。したがって、参加者は、表示手段に表示されたレーダーチャートを見ることによってレーダーチャートの形状及び多角形の大きさの変化から、また自然散策前と後の色サンプルを見ることによって選択した色の変化から、自然散策によるストレス解消効果・リラックス効果がその場で直ちに実感でき、参加者各人が自然散策効果を確かめることができる。
【００５５】
一方、主催者側は参加者全員のデータをデータ保存手段に保存できるため、参加者を待たせずにデータを蓄積することができ、３項目以上の質問や複数色の色サンプルの改良にも役立てることができる。
【００５６】
このようにして、自然散策の効果をその場で参加者に科学的なデータとして直ちに示すことができ、自然散策の効果を実感してもらうことができる自然散策効果解析装置となる。
【００５７】
請求項８の発明にかかる自然散策効果解析装置は、さらに解析手段が作成したレーダーチャート及び／または入力された色データを画像として出力するデータ出力手段を有するものである。これによって、各参加者はその場で表示手段に表示されたレーダーチャート及び色サンプルを見ることができるだけでなく、データ出力手段によってプリント用紙等に出力されたレーダーチャートや色データの画像を持ち帰ることができるので、自然散策会の終了後においても、参加者各人が自然散策によるストレス解消効果・リラックス効果を実感でき、自然散策効果を確かめることができる。
【００５８】
なお、屋外における携帯式のデータ出力手段によるデータ出力には、複数台のデータ出力手段を用いたとしても時間が掛かるため、データ出力手段によるデータ出力は、自然散策会の終了後にスタッフが施設に戻って屋内用のデータ出力手段を用いて行い、後日参加者各人に郵送等で送付するようにしても良い。これによって携帯式のデータ出力手段が不要になり、経費節減にも役立つ。
【００５９】
このようにして、自然散策の効果をその場で参加者に科学的なデータとして直ちに示すことができ、自然散策の効果を実感してもらうことができるとともに、自然散策終了後においても自然散策の効果を実感してもらうことができる自然散策効果解析装置となる。
【００６０】
請求項９の発明にかかる自然散策効果解析装置は、さらに解析手段は自然散策前の参加者の気分を表す色と自然散策後の参加者の気分を表す色とをそれぞれ数値化するとともに自然散策前後の参加者の気分変化をも数値化し、データ保存手段は数値化された色のデータをも保存し、表示手段は数値化された色のデータをも数値として表示し、データ出力手段は数値化された色のデータをも数値として出力するものである。
【００６１】
即ち、本発明にかかる自然散策効果解析装置においては、色データ数値化プログラムをプログラム入力手段から入力して、自然散策前後の参加者の気分を表す色を数値化するとともに、両方の数値から参加者の気分変化をも数値化して、自然散策の効果を具体的な数値として表すものである。これによって、参加者はレーダーチャートや色データの画像だけでなく、数値化された色のデータの数値をも表示手段を見ることによってその場で見ることができるため、参加者各人がより具体的に自然散策によるストレス解消効果・リラックス効果を実感でき、自然散策効果を確かめることができる。
【００６２】
このようにして、自然散策の効果をより具体的な数値としてその場で参加者に直ちに示すことができ、自然散策の効果をより具体的に実感してもらうことができる自然散策効果解析装置となる。
【００６３】
請求項１０の発明にかかる自然散策効果解析装置は、さらに自然散策前の参加者の写真データと自然散策後の参加者の写真データとをそれぞれ入力する写真データ入力手段を具備し、データ保存手段は入力された写真データをも保存し、表示手段は入力された写真データをも画像として表示し、データ出力手段は入力された写真データを画像として出力するものである。
【００６４】
前述したように、本発明者の経験によれば、自然散策の１つとしての森林散策において、森林散策の前と後とでは参加者の表情が顕著に変化することが分かっている。そこで、写真データ入力手段として例えばデジタルカメラを用いて、参加者の顔が写るように自然散策の前と後とでスナップ写真を撮影しておき、ＵＳＢケーブル等を用いてノートパソコンに接続して写真データを転送して、表示手段（この場合はノートパソコンのディスプレイ）に自然散策の前と後の写真を並べて表示すれば、参加者はその場で一目で自然散策の効果を実感することができる。さらに、データ出力手段で自然散策の前と後の写真を並べて出力し、その場で持ち帰ってもらうか後日送付することによって、自然散策終了後においても自然散策の効果を実感することができる。
【００６５】
このようにして、自然散策の効果をより顕著なデータとしてその場で参加者に直ちに示すことができ、自然散策の効果をより具体的に実感してもらうことができる自然散策効果解析装置となる。
【００６６】
請求項１１の発明にかかる自然散策効果解析装置は、さらに解析手段は入力された写真データをも画像解析して数値化するとともに、データ保存手段は数値化された写真データをも保存し、表示手段は数値化された写真データをも数値として表示し、データ出力手段は数値化された写真データをも数値として出力するものである。
【００６７】
即ち、本発明にかかる自然散策効果解析装置においては、画像解析プログラムをプログラム入力手段から入力して、自然散策前後の参加者の写真データを数値化して、自然散策の効果を具体的な数値として表すものである。これによって、参加者はレーダーチャート・色データの画像・写真だけでなく、数値化された写真データの数値をも表示手段を見ることによってその場で見ることができるため、参加者各人がより具体的に自然散策によるストレス解消効果・リラックス効果を実感でき、自然散策効果を確かめることができる。
【００６８】
このようにして、自然散策の効果をより具体的な数値としてその場で参加者に直ちに示すことができ、自然散策の効果をより具体的に実感してもらうことができる自然散策効果解析装置となる。
【００６９】
請求項１２の発明にかかる自然散策効果解析装置は、さらに文字データ入力手段は自然散策前の参加者の最高血圧・最低血圧及び脈拍数と自然散策後の参加者の最高血圧・最低血圧及び脈拍数とをそれぞれ数値として入力し、データ保存手段は入力された最高血圧・最低血圧及び脈拍数の数値データをも保存し、表示手段は最高血圧・最低血圧及び脈拍数の数値データをも数値として表示し、データ出力手段は最高血圧・最低血圧及び脈拍数の数値データをも数値として出力するものである。
【００７０】
参加者の最高血圧・最低血圧及び脈拍数を測定するには、携帯式のデジタル表示式血圧計を用いれば、容易に測定することができる。そこで、主催者は携帯式のデジタル表示式血圧計を１個または複数個用意しておいて、各参加者に順次測定してもらって文字データ入力手段を用いてそれぞれの数値を入力してもらえば良い。前述の如く、ストレス状態とリラックス状態における血圧及び脈拍数の変化は良く知られているところであり、各参加者は自然散策前と後の最高血圧・最低血圧及び脈拍数を数値として比較することによって、より科学的に自然散策によるストレス解消効果・リラックス効果がその場で直ちに実感できる。
【００７１】
このようにして、自然散策の効果をその場で参加者にさらに科学的なデータとして直ちに示すことができ、自然散策の効果を実感してもらうことができる自然散策効果解析装置となる。
【００７２】
請求項１３の発明にかかる自然散策効果解析装置は、さらに自然散策前の参加者の顔及び／または手足の表面温度分布を色で表すサーモグラフィのデータと自然散策後の参加者の顔及び／または手足の表面温度分布を色で表すサーモグラフィのデータとをそれぞれ入力するサーモグラフィデータ入力手段を具備し、データ保存手段はサーモグラフィのデータをも保存し、表示手段は入力されたサーモグラフィのデータをも画像として表示し、データ出力手段は入力されたサーモグラフィのデータをも画像として出力するものである。
【００７３】
サーモグラフィデータ入力手段としては、携帯式サーモグラフィを用いれば、野外でもその場で参加者のサーモグラフィのデータを撮影してノートパソコンに転送することができる。暖かい季節には参加者も軽装であるため、顔だけでなく手足も部分的に露出しているため、サーモグラフィのデータを撮影することができる。ストレス度・リラックス度によって人の血流が変化し、それが皮膚表面温度に反映されることは良く知られているところである。そこで、自然散策前と後の参加者の顔や手足の表面温度分布を色で表すサーモグラフィの画像データを表示手段に表示して比較することによって、より科学的に自然散策によるストレス解消効果・リラックス効果がその場で直ちに実感できる。
【００７４】
このようにして、自然散策の効果をより科学的なデータとしてその場で参加者に直ちに示すことができ、自然散策の効果をより具体的に実感してもらうことができる自然散策効果解析装置となる。
【００７５】
請求項１４の発明にかかる自然散策効果解析装置は、さらに解析手段は入力されたサーモグラフィのデータをも画像解析して数値化するとともに、データ保存手段は数値化されたサーモグラフィのデータをも保存し、表示手段は数値化されたサーモグラフィのデータをも数値として表示し、データ出力手段は数値化されたサーモグラフィのデータをも数値として出力するものである。
【００７６】
即ち、本発明にかかる自然散策効果解析装置においては、画像解析プログラムをプログラム入力手段から入力して、自然散策前後の参加者のサーモグラフィデータを数値化して、自然散策の効果を具体的な数値として表すものである。これによって、参加者はレーダーチャート・色データの画像・サーモグラフィの画像だけでなく、数値化されたサーモグラフィデータの数値をも表示手段を見ることによってその場で見ることができるため、参加者各人がより具体的に自然散策によるストレス解消効果・リラックス効果を実感でき、自然散策効果を確かめることができる。
【００７７】
このようにして、自然散策の効果をより具体的な数値としてその場で参加者に直ちに示すことができ、自然散策の効果をより具体的に実感してもらうことができる自然散策効果解析装置となる。
【００７８】
請求項１５の発明にかかるコンピュータ読み取り可能な記録媒体は、少なくとも自然散策の参加者の氏名または参加者を特定できるデータを入力手段によって入力させる手順と、自然散策前の参加者の気持ちについて３項目以上の質問を表示手段に表示させる手順と、３項目以上の質問に対して３段階以上の複数の段階を示す数値を入力手段によって入力させる手順と、複数色の色サンプルを表示手段に表示させる手順と、複数色の色サンプルの中から自然散策前の参加者の気分を表す色を選択させて入力手段によって入力させる手順と、自然散策後に参加者の氏名または参加者を特定できるデータを入力手段によって入力させる手順と、自然散策後の参加者の気持ちについて自然散策前の３項目以上の質問にそれぞれ対応する３項目以上の質問を表示手段に表示させる手順と、それぞれ対応する３項目以上の質問に対して３段階以上の数値を入力手段によって入力させる手順と、複数色の色サンプルを表示手段に再度表示させる手順と、複数色の色サンプルの中から自然散策後の参加者の気分を表す色を選択させて入力手段によって入力させる手順と、入力された３項目以上の質問に対する３段階以上の複数の段階を示す３個以上の数値から自然散策前と後の参加者の気持ちを表す多角形のレーダーチャートを作成する手順と、作成したレーダーチャートのデータ及び選択された色サンプルのデータを保存する手順と、作成したレーダーチャート及び選択された色サンプルの画像を表示手段に表示し、及び／またはデータ出力手段によって出力する手順とを、コンピュータに実行させるプログラムを記録したものである。
【００７９】
かかるプログラムをコンピュータに実行させることによって、各参加者はその場で表示手段に表示されたレーダーチャート及び色サンプルを見ることによって、自然散策によるストレス解消効果・リラックス効果を実感でき、自然散策効果を確かめることができる。または、データ出力手段によってプリント用紙等に出力されたレーダーチャートや色データの画像を持ち帰ることができるので、自然散策会の終了後においても自然散策によるストレス解消効果・リラックス効果を実感でき、自然散策効果を確かめることができる。
【００８０】
なお、屋外における携帯式のデータ出力手段によるデータ出力には、複数台のデータ出力手段を用いたとしても時間が掛かるため、データ出力手段によるデータ出力は、自然散策会の終了後にスタッフが施設に戻って屋内用のデータ出力手段を用いて行い、後日参加者各人に郵送等で送付するようにしても良い。これによって携帯式のデータ出力手段が不要になり、経費節減にも役立つ。
【００８１】
このようにして、自然散策の効果をその場で参加者に科学的なデータとして直ちに示すことができ、自然散策の効果を実感してもらうことができ、または自然散策終了後においても自然散策の効果を実感してもらうことができるコンピュータ読み取り可能な記録媒体となる。
【００８２】
請求項１６の発明にかかるコンピュータ読み取り可能な記録媒体は、さらに、入力された自然散策前の参加者の気分を表す選択された色サンプルのデータと自然散策後の参加者の気分を表す選択された色サンプルのデータとをそれぞれ数値化する手順と、作成したレーダーチャートのデータ及び選択された色サンプルのデータ及び数値化された色のデータを保存する手順と、作成したレーダーチャート及び選択された色サンプルの画像及び数値化された色のデータの数値を表示手段に表示し、及び／またはデータ出力手段によって出力する手順とをコンピュータに実行させるプログラムを記録したものである。
【００８３】
かかるプログラムをコンピュータに実行させることによって、参加者はレーダーチャートや色データの画像だけでなく、数値化された色のデータの数値をも表示手段を見ることによってその場で見ることができるため、参加者各人がより具体的に自然散策によるストレス解消効果・リラックス効果を実感でき、自然散策効果を確かめることができる。
【００８４】
このようにして、自然散策の効果をより具体的な数値としてその場で参加者に直ちに示すことができ、自然散策の効果をより具体的に実感してもらうことができるコンピュータ読み取り可能な記録媒体となる。
【００８５】
請求項１７の発明にかかるコンピュータ読み取り可能な記録媒体は、さらに、自然散策前の参加者の写真データ及び／または自然散策前の参加者の最高血圧・最低血圧及び脈拍数を数値で表す数値データ及び／または自然散策前の参加者の顔及び／または手足の表面温度分布を色で表すサーモグラフィのデータを入力させる手順と、自然散策後の参加者の写真データ及び／または自然散策後の参加者の最高血圧・最低血圧及び脈拍数を数値で表す数値データ及び／または自然散策後の参加者の顔及び／または手足の表面温度分布を色で表すサーモグラフィのデータを入力させる手順と、入力された写真データ及び／または最高血圧・最低血圧及び脈拍数の数値データ及び／またはサーモグラフィのデータを保存する手順と、レーダーチャート、色サンプルの画像、写真データの画像及び／または最高血圧・最低血圧及び脈拍数の数値及び／またはサーモグラフィのデータの画像を表示手段に表示し、及び／またはデータ出力手段によって出力する手順とをコンピュータに実行させるプログラムを記録したものである。
【００８６】
かかるプログラムをコンピュータに実行させることによって、表示手段に自然散策の前と後の写真及び／または最高血圧・最低血圧及び脈拍数の数値及び／またはサーモグラフィのデータの画像を並べて表示すれば、参加者はその場で一目で自然散策の効果を実感することができる。さらに、データ出力手段で自然散策の前と後の写真及び／または最高血圧・最低血圧及び脈拍数の数値及び／またはサーモグラフィのデータの画像を並べて出力し、その場で持ち帰ってもらうか後日送付することによって、自然散策終了後においても自然散策の効果を実感することができる。
【００８７】
このようにして、自然散策の効果をより顕著なデータとしてその場で参加者に直ちに示すことができ、自然散策の効果をより具体的に実感してもらうことができるコンピュータ読み取り可能な記録媒体となる。
【００８８】
請求項１８の発明にかかるコンピュータ読み取り可能な記録媒体は、さらに、入力された自然散策前の参加者の気分を表す色と自然散策後の参加者の気分を表す色とをそれぞれ数値化する手順と、入力された自然散策前の参加者の写真データ及び／または前記自然散策前の参加者の最高血圧・最低血圧及び脈拍数を数値で表す数値データ及び／またはサーモグラフィのデータと自然散策後の参加者の写真データ及び／または最高血圧・最低血圧及び脈拍数を数値で表す数値データ及び／またはサーモグラフィのデータとをそれぞれ数値化する手順と、作成したレーダーチャートのデータ、数値化された色のデータ及び数値化された写真データ及び／または最高血圧・最低血圧及び脈拍数の数値データ及び／またはサーモグラフィのデータを保存する手順と、作成したレーダーチャート、数値化された色のデータの数値及び／または色サンプルの画像、数値化された写真データの数値及び／または写真データの画像、及び／または最高血圧・最低血圧及び脈拍数の数値、及び／または数値化されたサーモグラフィのデータの数値及び／またはサーモグラフィのデータの画像を表示手段に表示し、及び／またはデータ出力手段によって出力する手順とをコンピュータに実行させるプログラムを記録したものである。
【００８９】
かかるプログラムをコンピュータに実行させることによって、参加者はレーダーチャートや色データの画像・写真・サーモグラフィの画像だけでなく、数値化された各データの数値をも表示手段を見ることによってその場で見ることができるため、参加者各人がより具体的に自然散策によるストレス解消効果・リラックス効果を実感でき、自然散策効果を確かめることができる。
【００９０】
このようにして、自然散策の効果をより具体的な数値としてその場で参加者に直ちに示すことができ、自然散策の効果をより具体的に実感してもらうことができるコンピュータ読み取り可能な記録媒体となる。
【００９１】
請求項１９の発明にかかる自然散策効果解析装置またはコンピュータ読み取り可能な記録媒体は、自然散策前の参加者の写真データ及び自然散策後の参加者の写真データとして、小人数ごとの集合写真を撮影し、該集合写真から該当する参加者の写真を抽出して用いるものである。
【００９２】
小人数の集合写真を用いるのは、画像解析プログラムを用いて参加者の顔写真を解析する場合には、正面からの顔写真を必要とするが、１人ずつ撮影すると意識して顔がこわばってしまうため、より自然な表情が正面から撮影できる集合写真としたものである。但し、１グループ最大２０人の全員の集合写真では１人１人の顔が小さくなってしまうため、小人数に分けた集合写真を撮影することとしたものである。
【００９３】
このようにして、より自然な表情の参加者の自然散策前と後の写真データを用いて画像解析プログラムによる解析を行うことができる自然散策効果解析装置またはコンピュータ読み取り可能な記録媒体となる。
【００９４】
請求項２０の発明にかかる自然散策効果解析シートまたは自然散策効果解析装置またはコンピュータ読み取り可能な記録媒体は、３項目以上の質問が５項目以上１５項目以下である。質問数が５項目未満では参加者の気持ちを充分に数値化することができず、質問数が１５項目を超えると回答に時間がかかり、また１５項目あれば充分だからである。
【００９５】
このようにして、短時間で参加者の気持ちを充分に数値化することができる自然散策効果解析シートまたは自然散策効果解析装置またはコンピュータ読み取り可能な記録媒体となる。
【００９６】
請求項２１の発明にかかる自然散策効果解析シートまたは自然散策効果解析装置またはコンピュータ読み取り可能な記録媒体は、３項目以上の質問の中に、自然散策を担当した案内人に対する自然散策後の参加者による感想を３段階以上の複数の段階を示す数値で回答する質問を入れておき、数値を全参加者について平均することにより案内人指数を算出し、該案内人指数に基いて自然散策後の参加者の気持ちを表すレーダーチャートを補正するものである。
【００９７】
森林散策等の自然散策は、説明を担当する案内人の説明の上手下手によって、かなり印象が左右されるものである。そこで、より客観的なレーダーチャートを得るために、案内人指数が大きい（自然散策後の参加者による案内人の評価が高い）場合には、案内人の説明等に左右される質問項目については数値を少し小さく補正し、逆に案内人指数が小さい（自然散策後の参加者による案内人の評価が低い）場合には、案内人の説明等に左右される質問項目については数値を少し大きく補正する。これによって、案内人の違いによる要素を排除したより客観的なレーダーチャートを得ることができる。
【００９８】
さらに、この案内人指数を自然散策を行うごとに案内人各人について蓄積して行くことによって、累積された案内人指数が低い案内人については再教育を行う、等に役立てることができる。
【００９９】
請求項２２の発明にかかる自然散策効果解析シートまたは自然散策効果解析装置またはコンピュータ読み取り可能な記録媒体は、質問の回答における３段階以上の複数の段階は５段階以上９段階以下である。質問の回答が５段階未満では参加者も答えづらく、データとしても客観的なものにならず、また質問の回答が９段階を超えると解析がやり難くなり、９段階あれば充分だからである。特に、７段階であると、参加者も迷うことなく答え易く、解析も行い易いため、より好ましい。
【０１００】
このようにして、短時間で参加者の気持ちを充分に数値化することができる自然散策効果解析シートまたは自然散策効果解析装置またはコンピュータ読み取り可能な記録媒体となる。
【０１０１】
請求項２３の発明にかかる自然散策効果解析シートまたは自然散策効果解析装置またはコンピュータ読み取り可能な記録媒体は、複数色のカラーチップまたは複数色の色サンプルが５色以上２０色以下である。複数色のカラーチップまたは色サンプルが５色未満では少な過ぎて参加者の気分を表す色がない場合が出て来る一方、２０色を超えると多過ぎて参加者が迷ってしまうからである。特に、１２色前後であると、参加者も迷うことなくかつ参加者の気分を表す色が大概の場合入っているため、より好ましい。
【０１０２】
このようにして、短時間で参加者の気分を表す色を選択することができる自然散策効果解析シートまたは自然散策効果解析装置またはコンピュータ読み取り可能な記録媒体となる。
【０１０３】
請求項２４の発明にかかる自然散策効果解析セットは、請求項１乃至請求項６または請求項２０乃至請求項２３のいずれか１つに記載の自然散策効果解析シートを参加者数以上の枚数と、参加者の気分を表すための複数色のカラーチップを参加者数の２倍以上の枚数ずつ収納したカラーチップ用ファイルとを具備するものである。
【０１０４】
自然散策を行う場合には、参加者全員に自然散策効果解析シートを配布する必要があるため、参加者数以上の枚数の自然散策効果解析シートが必要であり、書き損じ等を考えると余分に持っている方が好ましい。また、参加者の気分を表すための複数色のカラーチップは、自然散策の前と後にそれぞれ選択されるため、参加者全員が全て自然散策の前と後に同一の色を選択した場合でも、カラーチップは参加者数の２倍の枚数を準備しておけば良い。このように、必要枚数の自然散策効果解析シートとカラーチップを必要枚数ずつ収納したカラーチップ用ファイルとをセットにして用いることによって、自然散策を円滑に実施することができる。
【発明を実施するための最良の形態】
【０１０５】
以下、本発明の実施の形態について、図面を参照しつつ説明する。
【０１０６】
実施の形態１
まず、本発明の自然散策効果解析シート及び自然散策効果解析セットにかかる実施の形態１について、図１乃至図７を参照して説明する。
【０１０７】
図１は本発明の実施の形態１にかかる自然散策効果解析セットの内容を示す斜視図である。図２は本発明の実施の形態１にかかる自然散策効果解析シートの表紙ページを示す図である。図３は本発明の実施の形態１にかかる自然散策効果解析シートの質問ページを示す図である。図４は本発明の実施の形態１にかかる自然散策効果解析シートの写真等貼り付けページを示す図である。図５は本発明の実施の形態１にかかる自然散策効果解析シートのレーダーチャートページを示す図である。図６は本発明の実施の形態１にかかる自然散策効果解析シートに用いられるカラーチップの解説書を示す図である。図７は本発明の実施の形態１にかかる自然散策効果解析セットを用いた自然散策の手順を示すフローチャートである。
【０１０８】
図１に示されるように、本実施の形態にかかる自然散策効果解析セット１は、参加者に配布される本発明の自然散策効果解析シートに相当する自然散策セルフガイドシート（以下、単に「ガイドシート」ともいう。）２と、ナチュラルリラクゼーションアドバイザー（以下、単に「アドバイザー」ともいう。）が使用するカラーチップファイル３とを含むものである。そして、ガイドシート２には、小型デジタルカメラで撮影された参加者の自然散策前の顔写真（スナップ写真）４Ａと自然散策後の顔写真４Ｂ、及びカラーチップ６が貼り付けられる。
【０１０９】
ガイドシート２は、図２，図３，図４，図５に示されるように、氏名等記入欄２ａを有しガイドシート２の使い方を記載した欄を有する表紙ページ２Ａ、自然散策前の気持ちと自然散策後の気持ちをそれぞれ１０項目の質問について７段階で数値化するチェックページ２Ｂ、自然散策前の顔写真（スナップ写真）４Ａと自然散策後の顔写真４Ｂを並べて貼り付ける欄４ａ，４ｂと、散策前・散策後の気分を表すカラーチップ６を貼り付ける欄６ａ，６ｂとを有するページ２Ｃ、そしてチェックページ２Ｂに記入した数値を六角形グラフ化して比較する比較レーダーチャートのページ２Ｄとから構成されている。
【０１１０】
また、カラーチップファイル３は内側にマチ３ａが設けられた厚紙からなるファイルで、カラーチップ使用説明書５と、マチ３ａに収納された各４０枚ずつの１２色のカラーチップ６を含むものである。カラーチップ使用説明書５は、図６に示されるように、カラーチップ６の使用方法をアドバイザーが参加者に説明する際に用いるものであり、カラーチップ６は、各色ごとに１枚ずつ剥がして糊なしで貼り付けられるようになっている。カラーチップ６が各色ごとに４０枚ずつ用意されているのは、自然散策は案内人の説明を聞きながら行われることもあって、１グループ最大２０人が限度であり、参加者全員が自然散策前と自然散策後に同じ色を選んだとしても、４０枚あれば足りるからである。
【０１１１】
次に、実際の自然散策におけるこの自然散策効果解析セット１の使い方について、図７のフローチャートを参照して説明する。ステップＳ１で「自然散策会」が開始されると、まず集合時間前に集合して来た参加者から順番に、１人ずつのスナップ写真がスタッフによってデジタルカメラで撮影される（ステップＳ２）。これは自然散策前の顔写真４Ａとして用いられるものであるが、参加者が意識して顔の表情が硬くならないように、スナップ写真として撮影する。参加者が全員集合したら、参加者全員にガイドシート２が配布され（ステップＳ３）、ガイドシート２の使用法と自然散策における注意事項について、アドバイザーからの説明がされる（ステップＳ４）。
【０１１２】
さらに、アドバイザーからカラーチップ使用説明書５に基づいて、カラーチップ６についての説明がされる（ステップＳ５）。即ち、図４に示されるように、ガイドシート２のページ２Ｃ・貼付け欄６ａ，６ｂの説明にある通り、アドバイザーが「今のあなたを表す色に一番近いと思う色をカラーチップの中から選んで下さい。」と言って、カラーチップファイル３を開いて収納されている１２色のカラーチップ６を参加者に見せる。そして、アドバイザーは、各参加者が選んだカラーチップ６を１枚ずつ剥がして渡し、参加者は受け取ったカラーチップ６を自分のガイドシート２のページ２Ｃの欄６ａに貼り付ける（ステップＳ６）。良く分からない参加者がいる場合には、アドバイザーは、カラーチップファイル３に収納されているカラーチップ使用説明書５（図６）を見せながら再度説明する。
【０１１３】
続いて、各参加者は自分のガイドシート２の各欄に所定事項を記入する（ステップＳ７）。即ち、図２に示される表紙ページ２Ａの記入欄２ａに、自然散策会が行われた年月日と自分の氏名と自然散策会の名称と自然散策会が行われた場所（○○の森、△△町□□山、等）とをまず記入し、次に図３に示されるチェックページ２Ｂの上欄に、自然散策前の気持ちを１０項目の質問について７段階で数値化して○を付け、各数値を点数欄２ｂに記入する。例えば、項目（１）の「穏やかな気分です」という質問に対しては、余り穏やかな気分でない場合には、「２」（または「３」）に○を付けて点数欄２ｂに「２」（または「３」）と記入する。
【０１１４】
図４に示されるページ２Ｃにおいては、ステップＳ６において選んだカラーチップ６を貼り付けた欄６ａの下の欄に、そのカラーチップ６を選んだ理由が思い当たれば、簡単に記入する。理由が思い当たらなければ、無理に記入する必要はない。さらに、その下の欄２ｄには、散策前の自分を植物・花にたとえると何だと思われるかを考えて記入し、その理由が思い当たれば、簡単に記入する。理由が思い当たらなければ、無理に記入する必要はない。そして、図５に示される比較レーダーチャートのページ２Ｄにおいては、図３に示されるチェックページ２Ｂの点数欄２ｂに記入した数字を、下の項目Ａ，Ｂ，…，Ｈと質問番号の対応関係を参照して、●印を付けて各●印を線で結んで六角形の比較レーダーチャートを作成する。なお、このページ２Ｄへの記入は、自然散策後にまとめて行っても良い。
【０１１５】
参加者全員のガイドシート２への記入が終わったら、スタッフがガイドシート２を回収し（ステップＳ８）、アドバイザー或いは専属案内人の引率によって自然散策が実施される（ステップＳ９）。アドバイザー或いは専属案内人は、所定のコースをゆっくり歩きながら、コース沿いに生えている樹木や植物等について、その名前や名前の由来や用途等について、参加者に説明をする。自然散策そのものは、通常２時間〜３時間程度、長い場合には昼食休憩を挟んで８時間程度かけて行われるが、このように説明・案内をしながらゆっくり歩くため、コースの長さはそれほど長いものではない（約１ｋｍ〜約５ｋｍ）。自然散策のコースが周回コースでスタート地点とゴール地点が同じ場合には、スタッフはスタート地点の小屋等で待機している。スタート地点とゴール地点が異なる場合には、スタッフはステップＳ８で回収したガイドシート２を全て持って自動車等で先回りをして、ゴール地点で待つ。
【０１１６】
自然散策が終了したら、スタッフがまた参加者１人１人のスナップ写真を撮影し（ステップＳ１０）、それから各参加人がステップＳ７で記入したガイドシート２を各参加人に配布して（ステップＳ１１）、まず自然散策後のカラーチップの選択を行ってもらう。即ち、ステップＳ６と同様に図４に示されるガイドシート２のページ２Ｃ・貼付け欄６ａ，６ｂの説明にある通り、アドバイザーが「今のあなたを表す色に一番近いと思う色をカラーチップの中から選んで下さい。」と言って、カラーチップファイル３を開いて１２色のカラーチップ６を見せ、アドバイザーは各参加者が選んだカラーチップ６を１枚ずつ剥がして渡し、参加者は受け取ったカラーチップ６を自分のガイドシート２のページ２Ｃの欄６ｂに貼り付ける（ステップＳ１２）。
【０１１７】
続いて、参加者にはガイドシート２の残りの部分に記入をしてもらう（ステップＳ１３）。即ち、図３に示されるチェックページ２Ｂの下欄に、自然散策後の気持ちを１０項目の質問について７段階で数値化して○を付け、各数値を点数欄２ｃに記入する。例えば、項目（１）の「穏やかな気分です」という質問に対しては、非常に穏やかな気分である場合には、「７」に○を付けて点数欄２ｃに「７」と記入する。図４に示されるページ２Ｃにおいては、ステップＳ１２において選んだカラーチップ６を貼り付けた欄６ｂの下の欄に、そのカラーチップ６を選んだ理由が思い当たれば、簡単に記入する。理由が思い当たらなければ、無理に記入する必要はない。
【０１１８】
さらに、その下の欄２ｅには、散策後の自分を植物・花にたとえると何だと思われるかを考えて記入し、その理由が思い当たれば、簡単に記入する。理由が思い当たらなければ、無理に記入する必要はない。そして、図５に示される比較レーダーチャートのページ２Ｄにおいては、図３に示されるチェックページ２Ｂの点数欄２ｃに記入した数字を、下の項目Ａ，Ｂ，…，Ｈと質問番号の対応関係を参照して、○印を付けて各○印を線で結んで六角形の比較レーダーチャートを作成する。なお、ステップＳ７においてこのページ２Ｄへの記入を行わなかった場合には、自然散策前に点数欄２ｂに記入した数字を参照して自然散策前の比較レーダーチャートをも作成する。
【０１１９】
この間にスタッフは、ステップＳ２で撮影した各参加者の自然散策前のスナップ写真４ＡとステップＳ１０で撮影した自然散策後のスナップ写真４Ｂとを、デジタルカメラ専用のバッテリー式携帯型プリンタでプリントアウトしておく（ステップＳ１４）。なお、スナップ写真４Ａ，４Ｂの撮影・印刷はデジタルカメラと専用のバッテリー式携帯型プリンタを使用する代わりに、インスタントカメラ（例えば、富士写真フィルム（株）製「チェキ」（登録商標））を用いて行っても良い。そうすれば、専用のバッテリー式携帯型プリンタが不要になる。
【０１２０】
そして、参加者全員のガイドシート２への記入が終わったら、スタッフがガイドシート２を回収し（ステップＳ１５）、回収した各参加者のガイドシート２の図４に示されるページ２Ｃの欄４ａ，４ｂにスナップ写真４Ａ，４Ｂを貼り付ける。そして、参加者全員のガイドシート２の表（ページ２Ａ，２Ｄ）と裏（ページ２Ｂ，２Ｃ）をデジタルカメラで撮影してデータとして保存し（ステップＳ１６）た後、スナップ写真４Ａ，４Ｂを貼り付けたガイドシート２を各参加者に返却する（ステップＳ１７）。以上で、自然散策会が終了する（ステップＳ１８）。
【０１２１】
これによって、参加者は、返却されたガイドシート２の図４に示されるページ２Ｃの欄４ａ，４ｂに貼り付けられた自然散策前の自分の写真４Ａと自然散策後の自分の写真４Ｂとを比較して見ることによって、顔の表情の変化等から自然散策によるリラックス効果等の好ましい効果を全体的に実感できる。また、図５に示されるページ２Ｄの比較レーダーチャートを自然散策前のものと自然散策後のものとを比較して見ることによって、自然散策によるリラックス効果等の好ましい効果をより具体的に、全体的な効果としては視覚による六角形の大きさ（六角形が大きい方がより好ましい状態）及び歪み方の変化によって、個別的な項目「活気」、「気分」、「不安」、「疲労」、「緊張」、「落ち着き」については各数値の変化を見ることによって知ることができる。
【０１２２】
一方、主催者としては、デジタルカメラに写真として保存した各参加者のガイドシート２のページ２Ａ，２Ｂ，２Ｃ，２Ｄをプリントアウトして解析することによって、自然散策の客観的なデータを蓄積することができ、今後の自然散策会の改善及び自然散策セルフガイドシート２とカラーチップ用ファイル３の改良にも役立てることができる。特に、ガイドシート２の図３に示されるページ２Ｂの下欄に、１０項目の質問の中に項目（９）として「案内人の話にどのていど満足していますか」という自然散策を担当した案内人に対する自然散策後の参加者による感想を７段階の数値で回答する質問を入れてあるため、この数値を全参加者について平均することにより案内人指数を算出し、この案内人指数に基いて自然散策後の参加者の気持ちを表す六角形のレーダーチャートを補正することができる。
【０１２３】
即ち、例えば、案内人指数が「普通」を示す４未満であった場合には、その数値に反比例させるように図５に示されるページ２Ｄの「Ｇ」を除く「Ａ，Ｂ，…，Ｈ」の各数値に１．０を超える係数を掛けて、自然散策後のレーダーチャートの六角形が大きくなるように補正する。また、逆に案内人指数が「普通」を示す４を超えた場合には、その数値に反比例させるように「Ｇ」を除く「Ａ，Ｂ，…，Ｈ」の各数値に１．０未満の係数を掛けて、自然散策後のレーダーチャートの六角形が小さくなるように補正する。
【０１２４】
この処理は直ちにその場で行うと時間が掛かるので、参加者にはとりあえず自分で記入した自然散策セルフガイドシート２を持ち帰ってもらう。その後、上記の案内人指数の算出とレーダーチャートの補正を行い、各参加者には後日郵送等で送付しても良いし、主催者側のデータとして保存しても良い。
【０１２５】
さらに、ガイドシート２には、図２に示されるように、ページ２Ａの氏名等記入欄の下にナチュラルリラクゼーションアドバイザーの署名欄があり、通常はアドバイザーが案内人をも務めるので（そうでない例外的な場合には、この署名欄に案内人の氏名も併記してもらう。）、各アドバイザーについて案内人指数のデータが、自然散策会を重ねるごとに累積される。したがって、累積された案内人指数が低いアドバイザーについては、案内人としての再教育を行うこともできる。
【０１２６】
本実施の形態１においては、自然散策解析用シートとしての自然散策セルフガイドシート２の全ての欄を１枚の用紙の表裏に印刷した場合について説明したが、自然散策セルフガイドシート２の各欄を２枚以上の用紙に分けて印刷してステープラーでとめる等して、自然散策セルフガイドシート２を２枚以上としても良い。
【０１２７】
また、本実施の形態１においては、自然散策解析用シートとしての自然散策セルフガイドシート２に最高血圧・最低血圧及び脈拍数の数値を記入する欄、或いはサーモグラフィの画像データを貼り付ける欄を設けていないが、携帯式のデジタル表示式血圧計、或いは携帯用サーモグラフィを用意して、これらの一方または両方を記入する欄または貼り付ける欄を設けることによって、より科学的に自然散策の効果を実感してもらうことができる。
【０１２８】
さらに、本実施の形態１における自然散策解析用シートとしての自然散策セルフガイドシート２に、各参加者の自然散策における歩数を記入する欄を設けても良い。具体的には、各参加者に万歩計（登録商標）を装着してもらい、自然散策後に自然散策で歩いた歩数を読み取ってその歩数を各参加者の自然散策セルフガイドシート２に記入してもらうものである。これによって、自分がどのくらい歩いたかを数値で実感してもらうことができる。
【０１２９】
また、自然散策解析用シートとしての自然散策セルフガイドシート２を印刷する用紙としてコピー防止用紙（複写しようとしてコピー機器にかけるとコピー用紙全面に「複写」「ＣＯＰＹ」「複写禁止」等の文字が浮き出たり、コピー用紙全面が真っ黒になってしまったりする特殊な用紙）を用いれば、本発明者が長年の経験と収集したデータに基いて苦心の末に作成した自然散策セルフガイドシート２を、本発明者の許可なく不正に複写して使用される事態を未然に防ぐことができるので、より好ましい。
【０１３０】
実施の形態２
次に、本発明の自然散策効果解析装置及びコンピュータ読み取り可能な記録媒体にかかる実施の形態２について、図８乃至図１３を参照して説明する。
【０１３１】
図８は本発明の実施の形態２にかかる自然散策効果解析装置の構成を示す模式図である。図９（ａ）は本発明の実施の形態２にかかる自然散策効果解析装置の具体例を示す斜視図、（ｂ）はその内部構成を示すブロック図である。図１０は本発明の実施の形態２にかかる自然散策効果解析装置において実行されるコンピュータ読み取り可能な記録媒体に記録されたプログラムの内容を示すフローチャートである。図１１は本発明の実施の形態２にかかる自然散策効果解析装置において実行されるコンピュータ読み取り可能な記録媒体に記録された気分入力処理の手順を示すフローチャートである。図１２は本発明の実施の形態２にかかる自然散策効果解析装置において実行されるコンピュータ読み取り可能な記録媒体に記録された色選択処理の手順を示すフローチャートである。図１３は本発明の実施の形態２にかかる自然散策効果解析装置において実行されるコンピュータ読み取り可能な記録媒体に記録された解析データ出力処理の手順を示すフローチャートである。
【０１３２】
まず、本実施の形態２にかかる自然散策効果解析装置の構成について、図８の模式図を参照して説明する。
【０１３３】
図８に示されるように、本実施の形態２にかかる自然散策効果解析装置Ｍ１は、入力すべき項目、回答すべき質問、参加者の気分を表す色の１２色の色サンプル、及び解析結果を表示する表示手段Ｍ２と、自然散策の参加者の氏名または参加者を特定できるデータ（会員番号等）及び自然散策の実施日と、自然散策前と自然散策後の参加者の気持ちについてそれぞれ対応する１０項目の質問に対して７段階の数値で回答してその数値と、自然散策前と自然散策後の参加者の最高血圧・最低血圧及び脈拍数の数値とを入力する文字データ入力手段Ｍ３と、自然散策前の参加者の気分を表す色と自然散策後の参加者の気分を表す色とを１２色の色サンプルから選択してそれぞれ入力する色データ入力手段Ｍ４と、自然散策前と自然散策後の参加者の写真データとをそれぞれ入力する写真データ入力手段Ｍ５と、自然散策前と自然散策後の参加者の顔及び手足の表面温度分布を色で表すサーモグラフィのデータをそれぞれ入力するサーモグラフィデータ入力手段Ｍ６と、入力された各データを解析して、１０項目の質問に対する７段階を示す１０個の数値から自然散策前と自然散策後の参加者の気持ちを表すレーダーチャートを作成するとともに、自然散策前と自然散策後の参加者の気分を表す色、自然散策前と自然散策後の参加者の写真データ、自然散策前と自然散策後の参加者のサーモグラフィのデータをそれぞれ数値化する解析手段Ｍ７とを有する。
【０１３４】
そして、さらに解析手段Ｍ７に表示手段Ｍ２による表示と文字データ入力手段Ｍ３・色データ入力手段Ｍ４・写真データ入力手段Ｍ５・サーモグラフィデータ入力手段Ｍ６による入力等を実行させるためのプログラム（自然散策効果解析ソフトウェア）Ｍ１１及び解析に必要なプログラムを入力するプログラム入力手段Ｍ８と、入力されたプログラム及びデータを保存し、解析手段Ｍ７にプログラム及びデータを供給するとともに、解析手段Ｍ７が作成したレーダーチャートのデータ及び数値化された各データを保存するデータ保存手段Ｍ９と、解析手段Ｍ７が作成したレーダーチャート及び数値化された色のデータ・写真データ・サーモグラフィデータの数値及び入力された色のデータ・写真データ・サーモグラフィデータの画像及び最高血圧・最低血圧及び脈拍数の数値を出力データＭ１５として出力するデータ出力手段Ｍ１０とを具備する。
【０１３５】
ここで、解析手段Ｍ７によるデータ解析を実行させるためには、レーダーチャート作成ソフトウェアＭ１２、色データ数値化ソフトウェアＭ１３、及び画像解析ソフトウェアＭ１４が必要であり、これらに記録されたプログラムをプログラム入力手段Ｍ８に入力して、解析手段Ｍ７に供給してやらなければならない。
【０１３６】
具体的には、図９（ａ）に示されるように、本実施の形態２にかかる自然散策効果解析装置１１は、ノートパソコン１２を中心に構成されている。
【０１３７】
即ち、本実施の形態２にかかる自然散策効果解析装置１１は、表示手段としてのディスプレイ１３と、文字データ入力手段としてのキーボード１４と、色データ入力手段としてのマウス（スライドパッド式）１５と、プログラム入力手段としてのディスクトレイ１６と、解析手段・データ保存手段としてのプロセッサ（ＣＰＵ）・メモリ等を備えたパソコン本体とからなるノートパソコン１２を中心として、さらに写真データ入力手段としてのデジタルカメラ１７、サーモグラフィデータ入力手段としての携帯用サーモグラフィ１８、データ出力手段としてのバッテリー式携帯型カラープリンタ１９から構成されている。
【０１３８】
これらの外部機器、即ちデジタルカメラ１７、携帯用サーモグラフィ１８、バッテリー式携帯型カラープリンタ１９は、それぞれ使用時にノートパソコン１２のＵＳＢポート１２ａにＵＳＢケーブル１２ｂを介して接続される。これらのノートパソコン１２、デジタルカメラ１７、携帯用サーモグラフィ１８、バッテリー式携帯型カラープリンタ１９は、いずれも小型かつ軽量でバッテリー式であるため、森林等で行われる自然散策においても、容易に携行してその場で使用することができる。
【０１３９】
さらに、自然散策効果解析装置１１のより詳しい構成について、図９（ｂ）のブロック図を参照して説明すると、ノートパソコン１２は内部にＣＰＵ（中央処理装置）２３、ＲＯＭ２４、ＲＡＭ２５、Ａ／Ｄ変換器２６を備え、さらに入力ポート２０及び出力ポート２１を有しており、これらの間はバス２２によってデータ転送自在に接続されている。ＣＰＵ２３、ＲＡＭ２５、Ａ／Ｄ変換器２６及びバス２２によって解析手段Ｍ７が構成され、ＲＯＭ２４、ＲＡＭ２５のメモリ装置がデータ保存手段Ｍ９を構成している。
【０１４０】
ディスクトレイ１６に、自然散策効果解析ソフトウェアＭ１１が書き込まれたＣＤ−ＲＯＭまたはＣＤ／ＲＷ（本発明のコンピュータ読み取り可能な記録媒体に相当する）を載せてディスクトレイ１６を収容すると、入力ポート２０を介して自然散策効果解析ソフトウェアＭ１１が読み込まれ、以下に述べる自然散策効果解析プログラムが実行される。
【０１４１】
次に、本実施の形態２にかかる自然散策効果解析装置１１において実行される自然散策効果解析プログラムの具体的内容について、図１０乃至図１３のフローチャートを参照して説明する。図１０のステップＳ２１において解析が開始されると、まずノートパソコン１２のディスプレイ１３に氏名、会員番号及び当日の日付（年月日）の入力を要求する画面が表示されるので、キーボード１４を用いて氏名、会員番号及び日付を文字入力する（ステップＳ２２）。参加者が会員番号を持っていない場合には、氏名のみを入力すると自動的に会員番号が付与される。続いて、自然散策前の気分を入力するサブルーチンが実行される（ステップＳ２３）。
【０１４２】
具体的には、図１１に示されるように、まず１０項目の質問がディスプレイ１３に表示される（ステップＳ４０）が、この画面は図３に示される実施の形態１にかかる自然散策セルフガイドシート２のページ２Ｂの上欄とほぼ同一である。カーソルが最初は数値を入力する欄（ページ２Ｂの上欄の点数欄２ｂに相当する。）の最上段（項目（１）の質問に対する数値を入力する欄）で点滅しているので、テンキー１４を用いて項目（１）の質問に対する数値を入力し、ＥＮＴＥＲキーを押せば次の下の欄にカーソルが移動する。このようにして、項目（１）〜（１０）に対する数値Ｘ１，Ｘ２，…，Ｘ１０を入力する（ステップＳ４１）。
【０１４３】
次に、数値Ｘ１，Ｘ２，…，Ｘ１０が全て入力されたか否かが判定され（ステップＳ４２）、判定結果がＹＥＳの場合にはステップＳ４３へ進み、ＮＯの場合にはステップＳ４４へ進んで入力されていない数値Ｘｎ（１≦ｎ≦１０）について、「ｎ番目の質問に答えて下さい」とディスプレイ１３に表示され、さらにｎ番目の質問がディスプレイ１３に表示されるので（ステップＳ４５）、数値Ｘｎをテンキーで入力する（ステップＳ４６）。この処理が、ステップＳ４２における判定結果がＹＥＳになるまで繰り返される。
【０１４４】
次に、ステップＳ４３において、入力された数値Ｘ１，Ｘ２，…，Ｘ１０が全て１以上７以下の自然数か否かが判定され、判定結果がＹＥＳの場合にはステップＳ４９へ進み、入力された数値Ｘ１，Ｘ２，…，Ｘ１０が、図１０のステップＳ２２で入力され或いは自動的に付与された会員番号とともにメモリ（ＲＡＭ２５）に保存されて、自然散策前の気分を入力するサブルーチンが終了し、図１０のメインルーチンへ戻る。
【０１４５】
一方、ステップＳ４３における判定結果がＮＯの場合にはステップＳ４７へ進み、ＮＯと判定された数値Ｘｎ（１≦ｎ≦１０）について、ｎ番目の質問とともに「１，２，３，４，５，６，７のいずれかの数字を入力して下さい」とディスプレイ１３に表示されるので、数値Ｘｎをテンキーで入力する（ステップＳ４８）。この処理が、ステップＳ４３における判定結果がＹＥＳになるまで繰り返される。
【０１４６】
続いて、図１０のメインルーチンのステップＳ２４において、自然散策前の気分を表す色を選択するサブルーチンが実行される。具体的には、図１２に示されるように、まず「今のあなたを表す色を下の１２色から選んでクリックして下さい」という文章とその下に１２色の長方形の色サンプルがフルカラーでディスプレイ１３に表示される（ステップＳ５０）。そこで、マウス（スライドパッド式）１５を操作して該当する色サンプルの上に矢印を移動させ、クリックするとステップＳ５１における判定がＹＥＳとなって、ステップＳ５２に進んで１色のみクリックされたか否かが判定される。
【０１４７】
この判定結果がＹＥＳの場合には、ステップＳ５４に進んでクリックされた色サンプルの長方形が太枠で囲まれ、「この色でよろしいですか？よければ〔確定〕を、やり直す場合は〔取消〕をクリックして下さい」という文章と、〔確定〕ボタン及び〔取消〕ボタンがディスプレイ１３に追加表示される。そこで、マウス１５を操作して〔確定〕ボタンまたは〔取消〕ボタンをクリックすると、ステップＳ５５における判定がＹＥＳとなって、ステップＳ５６に進んで〔確定〕ボタンがクリックされたか否かが判定される。この判定結果がＹＥＳの場合には、ステップＳ５７に進んでクリックされた色サンプルに予め付された色番号が、図１０のステップＳ２２で入力され或いは自動的に付与された会員番号とともにメモリ（ＲＡＭ２５）に保存されて、自然散策前の気分を表す色を選択するサブルーチンが終了し、図１０のメインルーチンへ戻る。
【０１４８】
一方、ステップＳ５２における判定結果がＮＯの場合には、ステップＳ５３に進んで「１色だけ選んで下さい」というメッセージがディスプレイ１３に表示され、ステップＳ５０に戻って最初の画面が表示される。即ち、「今のあなたを表す色を下の１２色から選んでクリックして下さい」という文章とその下に１２色の長方形の色サンプルがフルカラーでディスプレイ１３に表示される。また、〔取消〕ボタンをクリックした場合には、ステップＳ５６における判定結果がＮＯとなって、やはりステップＳ５０に戻って最初の画面が表示される。
【０１４９】
続いて、図１０のメインルーチンのステップＳ２５において、自然散策前の参加者の最高血圧・最低血圧及び脈拍数の数値が入力される。即ち、参加者１人ずつ座った状態で携帯式のデジタル表示式血圧計を用いて最高血圧・最低血圧及び脈拍数の測定を行い、その結果得られた各数値が文字データ入力手段Ｍ３としてのキーボード１４を用いて入力される。入力された最高血圧・最低血圧及び脈拍数の数値は、ステップＳ２２で入力され或いは自動的に付与された会員番号とともにメモリ（ＲＡＭ２５）に保存される。
【０１５０】
続いて、ステップＳ２６において、自然散策前の写真データが入力される。即ち、参加者を小人数（３人〜５人）に分けた集合写真を参加者全員についてデジタルカメラ１７で予め撮影しておき、デジタルカメラ１７をＵＳＢケーブル１２ｂでノートパソコン１２のＵＳＢスロット１２ａに接続して、デジタルカメラ１７を操作して集合写真の画像データをノートパソコン１２に転送し、予めインストールされている画像処理ソフトウェアを用いて該当する参加者の写っている集合写真の画像データを編集し、該当する参加者のみの顔が拡大された画像データが作成され、ステップＳ２２で入力され或いは自動的に付与された会員番号とともにメモリ（ＲＡＭ２５）に保存される。
【０１５１】
なお、ここで小人数の集合写真を用いるのは、実施の形態１と異なり、本実施の形態２においては画像解析ソフトウェアを用いて参加者の顔写真を解析するため正面からの顔写真を必要とするが、１人ずつ撮影すると意識して顔がこわばってしまうため、より自然な表情が正面から撮影できる集合写真としたものである。但し、１グループ最大２０人の全員の集合写真では１人１人の顔が小さくなってしまうため、小人数に分けた集合写真を撮影することとした。
【０１５２】
続いて、ステップＳ２７において、自然散策前のサーモグラフィのデータが入力される。即ち、参加者全員の顔及び手足を携帯用サーモグラフィ１８で予め撮影しておき、携帯用サーモグラフィ１８をＵＳＢケーブル１２ｂでノートパソコン１２のＵＳＢスロット１２ａに接続して、携帯用サーモグラフィ１８を操作して参加者全員の顔及び手足の表面温度分布を色で表す画像データをノートパソコン１２に転送し、該当する参加者の画像データを、ステップＳ２２で入力され或いは自動的に付与された会員番号とともにメモリ（ＲＡＭ２５）に保存する。
【０１５３】
ステップＳ２６及びステップＳ２７の入力処理はスタッフが行うものであるから、参加者全員がデジタルカメラ１７による集合写真の撮影と携帯用サーモグラフィ１８による撮影を済ませ、ステップＳ２２，Ｓ２３，Ｓ２４，Ｓ２５の入力処理を完了したら、アドバイザーの案内によって自然散策が開始される。なお、ステップＳ２６及びステップＳ２７の入力処理は、自然散策後の入力処理（ステップＳ３４及びステップＳ３５）とともに、自然散策終了後にまとめて行うこともできる。
【０１５４】
自然散策が終了したら、再び参加者全員についてデジタルカメラ１７による小人数の集合写真の撮影と携帯用サーモグラフィ１８による撮影を行った後、１人ずつノートパソコン１２によるデータ入力処理を行う。即ち、まずノートパソコン１２のディスプレイ１３に氏名及び会員番号の入力を要求する画面が表示されるので、キーボード１４を用いて氏名及びステップＳ２２で入力され或いは自動的に付与された会員番号を文字入力する（ステップＳ２８）。続いて、自然散策後の気分を入力するサブルーチンが実行される（ステップＳ２９）。
【０１５５】
具体的には、図１１に示されるステップＳ４０において、ディスプレイ１３に表示される１０項目の質問の画面が、図３に示される実施の形態１にかかる自然散策セルフガイドシート２のページ２Ｂの（上欄でなく）下欄とほぼ同一である点を除けば、ステップＳ２３の自然散策前の気分を入力するサブルーチンと全く同一の内容であり、ステップＳ２３について説明したように、図１１に示されるフローチャートにしたがって実行される。そして、図１０に示されるステップＳ２３及びステップＳ２９において入力され、会員番号とともにメモリ（ＲＡＭ２５）に保存されたデータに基いて、自然散策前の気分及び自然散策後の気分を表すレーダーチャートが作成され、会員番号とともにメモリ（ＲＡＭ２５）に保存される（ステップＳ３０）。
【０１５６】
このレーダーチャートの作成は、予めノートパソコン１２のディスクトレイ１６を用いて読み込ませた、市販のグラフ（レーダーチャートを含む）作成ソフトウェアＭ１１のＣＤ−ＲＯＭに記録されたレーダーチャート作成プログラムにしたがって行われる。市販のレーダーチャート作成ソフトウェアとしては、例えば、ＯＳＤＮ・Ｊａｐａｎの「ｒｓｋＳＱＬｉｔｅ」等がある。
【０１５７】
続いて、自然散策後の気分を表す色を選択するサブルーチンが実行される（ステップＳ３１）。具体的には、ステップＳ２４について説明した自然散策前の気分を表す色を選択するサブルーチンと全く同様であり、図１２に示されるフローチャートにしたがって実行される。そして、図１０に示されるステップＳ２４及びステップＳ３１において入力され、会員番号とともにメモリ（ＲＡＭ２５）に保存されたデータに基いて、自然散策前の気分及び自然散策後の気分を表す色を数値化する色データ数値化処理が実行され、得られた色データ数値は、会員番号とともにメモリ（ＲＡＭ２５）に保存される（ステップＳ３２）。
【０１５８】
この色データ数値化処理は、予めノートパソコン１２のディスクトレイ１６を用いて読み込ませた、市販の色データ数値化ソフトウェアＭ１２のＣＤ−ＲＯＭに記録された色データ数値化プログラムにしたがって実行される。市販の色データ数値化ソフトウェアとしては、例えば、セイコーエプソン（株）の「ＳＥＰＡＴＡベータ版ｖ１．１．０」等がある。
【０１５９】
続いて、ステップＳ３３において、自然散策後の参加者の最高血圧・最低血圧及び脈拍数の数値が入力される。即ち、参加者１人ずつ座った状態で携帯式のデジタル表示式血圧計を用いて最高血圧・最低血圧及び脈拍数の測定を行い、その結果得られた各数値が文字データ入力手段Ｍ３としてのキーボード１４を用いて入力される。入力された最高血圧・最低血圧及び脈拍数の数値は、ステップＳ２８で入力された会員番号とともにメモリ（ＲＡＭ２５）に保存される。
【０１６０】
続いて、ステップＳ３４において、自然散策後の写真データが入力される。即ち、デジタルカメラ１７をＵＳＢケーブル１２ｂでノートパソコン１２のＵＳＢスロット１２ａに接続して、デジタルカメラ１７を操作して自然散策後の集合写真の画像データをノートパソコン１２に転送し、予めインストールされている画像処理ソフトウェアを用いて該当する参加者の写っている集合写真の画像データを編集し、該当する参加者のみの顔が拡大された画像データが作成され、会員番号とともにメモリ（ＲＡＭ２５）に保存される。
【０１６１】
続いて、ステップＳ３５において、自然散策後のサーモグラフィのデータが入力される。即ち、携帯用サーモグラフィ１８をＵＳＢケーブル１２ｂでノートパソコン１２のＵＳＢスロット１２ａに接続して、携帯用サーモグラフィ１８を操作して自然散策後の参加者全員の顔及び手足の表面温度分布を色で表す画像データをノートパソコン１２に転送し、該当する参加者の画像データを会員番号とともにメモリ（ＲＡＭ２５）に保存する。
【０１６２】
そして、ステップＳ２６，ステップＳ３４において入力・保存された自然散策前・自然散策後の写真データ及びステップＳ２７，ステップＳ３５において入力・保存された自然散策前・自然散策後のサーモグラフィのデータが、予めノートパソコン１２のディスクトレイ１６を用いて読み込ませた、市販の画像解析ソフトウェアＭ１３のＣＤ−ＲＯＭに記録された画像解析プログラムにしたがって画像解析される（ステップＳ３６）。得られた画像解析データは会員番号とともにメモリ（ＲＡＭ２５）に保存される。市販の画像解析ソフトウェアとしては、例えば、（株）フォトロンの「ＩｍａｇｅＲｕｌｅｒ２０００ＡＰ」等がある。
【０１６３】
最後に、ステップＳ３７において、解析データ出力処理のサブルーチンが実行される。ここでは、参加者１人１人の希望を聞いて、その場でノートパソコン１２のディスプレイ１３で解析結果を見せたり、バッテリー式携帯型カラープリンタ１９で解析結果を印刷したりする。したがって、バッテリー式携帯型カラープリンタ（以下、単に「プリンタ」ともいう。）１９をＵＳＢケーブル１２ｂでノートパソコン１２のＵＳＢスロット１２ａに接続する。
【０１６４】
具体的には、図１３のフローチャートで解析データ出力処理のサブルーチンが開始されると、まずノートパソコン１２のディスプレイ１３に「解析データを表示しますか？」の文章及び「はい」ボタンと「いいえ」ボタンが表示される（ステップＳ６０）。そして、参加者がディスプレイ１３で解析結果を見たい場合には、マウス（スライドパッド式）１５を用いて「はい」ボタンをクリックし、見たくない場合には「いいえ」ボタンをクリックする。いずれかのボタンがクリックされると、ステップＳ６１における判定がＹＥＳとなってステップＳ６２に進み、「はい」ボタンがクリックされたか否かが判定される。
【０１６５】
「はい」ボタンをクリックした場合は、この判定結果がＹＥＳとなってステップＳ６３に進み、まず図１０のメインルーチンのステップＳ３０で作成されメモリに保存されたレーダーチャートがノートパソコン１２のディスプレイ１３に表示される。このレーダーチャートは、自然散策前と自然散策後の気分を比較して示すもので、自然散策前の六角形と自然散策後の六角形とを色を変えて重ねて表示する。六角形の大きさが大きいほど好ましい状態を表しており、通常は自然散策後の六角形の方が全体的に大きくなり、自然散策によるリラックス効果が一目で実感できる。
【０１６６】
キーボード１４の「ＥＮＴＥＲ」キーが押されるまでディスプレイ１３の画面は変わらず、キーボード１４の「ＥＮＴＥＲ」キーが押されるとステップＳ６４における判定がＹＥＳとなってステップＳ６５に進み、自然散策前と自然散策後の写真と自然散策前と自然散策後のサーモグラフィのデータ（画像）がそれぞれ並べてディスプレイ１３に表示される。参加者はこれを見ることによって、自然散策前と自然散策後の写真とを比較することにより、自分の顔の表情の変化等によって自然散策によるリラックス効果が一目で実感できる。また、自然散策前と自然散策後のサーモグラフィの画像を比較することによって、自然散策前には緊張で表面温度の低い青い部分が多かったのが、自然散策後にはリラックスできたことによって血流が良くなり、表面温度の高い赤い部分が多くなっていることで自然散策によるリラックス効果が一目で実感できる。
【０１６７】
キーボード１４の「ＥＮＴＥＲ」キーが押されるまでディスプレイ１３の画面は変わらず、キーボード１４の「ＥＮＴＥＲ」キーが押されるとステップＳ６６における判定がＹＥＳとなってステップＳ６７に進み、自然散策前と自然散策後にそれぞれ選択した色サンプルが並べてディスプレイ１３に表示されるとともに、その下に選択した色サンプルの変化をストレス解消度として数値化したデータが表示される。また、自然散策前と自然散策後の写真データを画像解析してストレス解消度として数値化したデータと、自然散策前と自然散策後のサーモグラフィのデータを画像解析してストレス解消度として数値化したデータ、及び自然散策前と自然散策後の最高血圧・最低血圧及び脈拍数の数値もともに表示される。参加者は、これらを見ることによって、自然散策によるリラックス効果・ストレス解消度を客観的なデータとしての数値として認識することができる。
【０１６８】
なお、このような（ステップＳ６５，Ｓ６７の）表示の仕方の代わりに、自然散策前と自然散策後の写真を並べてディスプレイ１３に表示するとともに自然散策前と自然散策後の写真データを画像解析してストレス解消度として数値化したデータを表示し、次に自然散策前と自然散策後のサーモグラフィの画像を並べてディスプレイ１３に表示するとともに自然散策前と自然散策後のサーモグラフィのデータを画像解析してストレス解消度として数値化したデータを表示し、次に自然散策前と自然散策後の最高血圧・最低血圧及び脈拍数の数値を並べてディスプレイ１３に表示し、さらに自然散策前と自然散策後にそれぞれ選択した色サンプルを並べてディスプレイ１３に表示するとともに、その下に選択した色サンプルの変化をストレス解消度として数値化したデータを表示するようにしても良い。
【０１６９】
キーボード１４の「ＥＮＴＥＲ」キーが押されるまでディスプレイ１３の画面は変わらず、キーボード１４の「ＥＮＴＥＲ」キーが押されるとステップＳ６８における判定がＹＥＳとなってステップＳ６９に進む。また、ステップＳ６２における判定がＮＯの場合、即ち「いいえ」ボタンをクリックした場合にも、ステップＳ６３〜Ｓ６８を飛び越してステップＳ６９に進み、ディスプレイ１３に「解析データをプリントしますか？」の文章及び「はい」ボタンと「いいえ」ボタンが表示される。参加者が解析データをプリントして欲しい場合には、マウス１５を用いて「はい」ボタンをクリックし、プリントして欲しくない場合には「いいえ」ボタンをクリックする。
【０１７０】
いずれかのボタンがクリックされると、ステップＳ７０における判定がＹＥＳとなってステップＳ７１に進み、「はい」ボタンがクリックされたか否かが判定される。この判定結果がＮＯの場合には、即ち「いいえ」ボタンがクリックされた場合には、解析データ出力処理のサブルーチンを終了して図１０のメインルーチンへ戻り、ステップＳ３８で自然散策効果解析プログラムによる処理を終了する。
【０１７１】
一方、ステップＳ７１における判定結果がＹＥＳの場合には、即ち「はい」ボタンがクリックされた場合には、まずレーダーチャートがプリンタ１９を用いてフルカラーでプリントアウトされる（ステップＳ７２）。次に、自然散策前と自然散策後の写真と自然散策前と自然散策後のサーモグラフィのデータ（画像）がそれぞれ並べてフルカラーでプリントアウトされる（ステップＳ７３）。最後に自然散策前と自然散策後にそれぞれ選択した色サンプルを並べて、その下に選択した色サンプルの変化をストレス解消度として数値化したデータと、自然散策前と自然散策後の写真データを画像解析してストレス解消度として数値化したデータと、自然散策前と自然散策後のサーモグラフィのデータを画像解析してストレス解消度として数値化したデータ、及び自然散策前と自然散策後の最高血圧・最低血圧及び脈拍数の数値がともにプリントアウトされる（ステップＳ７４）。
【０１７２】
なお、このような（ステップＳ７３，Ｓ７４の）印刷の仕方の代わりに、自然散策前と自然散策後の写真を並べるとともに自然散策前と自然散策後の写真データを画像解析してストレス解消度として数値化したデータをプリントアウトし、次に自然散策前と自然散策後のサーモグラフィの画像を並べるとともに自然散策前と自然散策後のサーモグラフィのデータを画像解析してストレス解消度として数値化したデータをプリントアウトし、次に自然散策前と自然散策後の最高血圧・最低血圧及び脈拍数の数値を並べてプリントアウトし、さらに自然散策前と自然散策後にそれぞれ選択した色サンプルを並べるとともにその下に選択した色サンプルの変化をストレス解消度として数値化したデータをプリントアウトするようにしても良い。
【０１７３】
以上で解析データ出力処理のサブルーチンを終了して図１０のメインルーチンへ戻り、ステップＳ３８で自然散策効果解析プログラムによる処理を終了する。プリントアウトされたデータ類は参加者に渡され、参加者はこれを持ち帰ることによって、後日でも自然散策の効果を再確認することができる。一方、主催者としては、ノートパソコン１２のメモリに自然散策の客観的なデータを蓄積することができ（データ容量が増えてきたら、ディスクトレイ１６にＣＤ／Ｒ，ＣＤ／ＲＷ，またはＣＤ−ＲＡＭを入れて、図９（ｂ）に示されるように出力ポート２１を介して書き込み保存し、ディスクに保存したデータはメモリから消去すれば良い。）、今後の自然散策会の改善、及び図１１のステップＳ４０で表示する１０項目の質問や図１２のステップＳ５０で表示する１２色の色サンプルの改良等にも役立てることができる。
【０１７４】
特に、自然散策後の１０項目の質問に、実施の形態１にかかるガイドシート２の図３に示されるページ２Ｂの下欄と同様に、項目（９）として「案内人の話にどのていど満足していますか」という自然散策を担当した案内人に対する自然散策後の参加者による感想を７段階の数値で回答する質問を入れてあるため、この数値を全参加者について平均することにより案内人指数を算出し、この案内人指数に基いて自然散策後の参加者の気持ちを表す六角形のレーダーチャートを補正することができる。
【０１７５】
即ち、例えば、案内人指数が「普通」を示す４未満であった場合には、その数値に反比例させるように図５に示されるページ２Ｄの「Ｇ」を除く「Ａ，Ｂ，Ｅ，Ｈ」の各数値に１．０を超える係数を掛けて、また「Ｃ，Ｄ，Ｆ」の各数値には逆に１．０未満の係数を掛けて、自然散策後のレーダーチャートの六角形が大きくなるように補正する。また、逆に案内人指数が「普通」を示す４を超えた場合には、その数値に反比例させるように「Ｇ」を除く「Ａ，Ｂ，Ｅ，Ｈ」の各数値に１．０未満の係数を掛けて、また「Ｃ，Ｄ，Ｆ」の各数値には逆に１．０を超える係数を掛けて、自然散策後のレーダーチャートの六角形が小さくなるように補正する。
【０１７６】
実際に、図１３のステップＳ６３において表示し、ステップＳ７２においてプリントアウトするレーダーチャートは、この補正処理を施したものでも良いし、補正前の生データから作成したものでも良い。さらに、自然散策会の１グループごとに案内人（通常はアドバイザー）の氏名を入力して保存しておくことによって、各アドバイザーについて案内人指数のデータが自然散策会を重ねるごとに累積される。したがって、累積された案内人指数が低いアドバイザーについては案内人としての再教育を行うように利用することもできる。
【０１７７】
本実施の形態２においては、図１０のステップＳ２２，Ｓ２３，Ｓ２４，Ｓ２５，Ｓ２８，Ｓ２９，Ｓ３１，Ｓ３３，Ｓ３７における入力処理等のノートパソコン１２の操作を参加者本人が行う場合を想定したが、パソコンの操作に不慣れな参加者の場合には、参加者にディスプレイ１３を見せながらスタッフが参加者に聞いてスタッフが操作すれば良い。
【０１７８】
また、本実施の形態２においては、図１３のステップＳ６９〜Ｓ７４のプリンタ１９を用いたプリントアウトをその場で行うこととしているが、１グループ最大２０人の参加者についてこれを行うと、順番が後の方の人は待ち時間が長くなってしまうので、ステップＳ６９〜Ｓ７４のプリントアウトは散会後にスタッフが行って、後日参加者全員に郵送等で送付するようにしても良い。これによって、高価なバッテリー式携帯型カラープリンタ１９が不要になる。その場で直ぐに結果を知りたいという参加者には、ステップＳ６０〜Ｓ６７においてノートパソコン１２のディスプレイ１３にデータ等を表示して見てもらうことによって、その場で直ちに解析結果を示すことができる。
【０１７９】
さらに、本実施の形態２においては、携帯用サーモグラフィ１８を用いてサーモグラフィのデータ（画像）及びそのデータの画像解析プログラムＭ１４による数値化までを行うこととしているが、携帯用サーモグラフィ１８は非常に高価であるため、サーモグラフィのデータは必ずしも取らなくても良い。
【０１８０】
また、本実施の形態２においては、デジタルカメラ１７による写真撮影で写真画像をディスプレイ１３に表示し写真をプリントアウトするのみならず、写真画像を写真データとして画像解析プログラムＭ１４による数値化までを行うこととしているが、現在の技術では画像解析は完全なものとは言えない部分があるので、画像解析プログラムによる数値化は行わず、自然散策前と自然散策後の写真を並べてディスプレイ１３に表示し、及びプリントアウトするだけでも良い。色サンプルに付いても同様に、色データ数値化プログラムによる数値化は行わず、自然散策前と自然散策後の色サンプルを並べてディスプレイ１３に表示し、及びプリントアウトするだけでも良い。
【０１８１】
さらに、本実施の形態２における自然散策解析用装置Ｍ１の文字データ入力手段Ｍ３としてのキーボード１４を用いて、各参加者の自然散策における歩数を入力するようにしても良い。具体的には、各参加者に万歩計（登録商標）を装着してもらい、自然散策後に自然散策で歩いた歩数を読み取ってその歩数をキーボード１４で入力し、ディスプレイ１３に表示し及び／またはプリンタ１９を用いてプリントアウトする。これによって、自分がどのくらい歩いたかを数値で実感してもらうことができる。
【０１８２】
上記各実施の形態においては、自然散策前後の気持ちを尋ねる質問の項目数を１０項目とし、複数の段階を示す数値を７段階の数値としたが、項目数は３項目以上であれば良く、複数の段階は３段階以上であれば何段階でも良い。項目数は５項目以上１５項目以下であることが好ましく、複数の段階は５段階以上９段階以下であることが好ましい。
【０１８３】
また、上記各実施の形態においては、カラーチップまたは色サンプルが１２色の場合について説明したが、カラーチップまたは色サンプルは何種類の色でも構わない。カラーチップまたは色サンプルは５色以上２０色以下であることが好ましい。
【０１８４】
さらに、上記各実施の形態においては、六角形のレーダーチャートを作成する例について説明しているが、レーダーチャートは三角形以上であれば何角形でも構わない。
【０１８５】
また、上記各実施の形態においては、自然散策として森林散策を行う場合について説明したが、本発明の自然散策効果解析シート、自然散策効果解析セット、自然散策効果解析装置及びコンピュータ読み取り可能な記録媒体は、その他の海岸散策や庭園散策等の自然散策にも応用することができる。
【０１８６】
本発明を実施するに際しては、自然散策効果解析シート、自然散策効果解析セット、自然散策効果解析装置及びコンピュータ読み取り可能な記録媒体のその他の部分の構成、形状、数量、材質、大きさ、接続関係等についても、上記各実施の形態に限定されるものではない。
【図面の簡単な説明】
【０１８７】
【図１】図１は本発明の実施の形態１にかかる自然散策効果解析セットの内容を示す斜視図である。
【図２】図２は本発明の実施の形態１にかかる自然散策効果解析シートの表紙ページを示す図である。
【図３】図３は本発明の実施の形態１にかかる自然散策効果解析シートの質問ページを示す図である。
【図４】図４は本発明の実施の形態１にかかる自然散策効果解析シートの写真等貼り付けページを示す図である。
【図５】図５は本発明の実施の形態１にかかる自然散策効果解析シートのレーダーチャートページを示す図である。
【図６】図６は本発明の実施の形態１にかかる自然散策効果解析シートに用いられるカラーチップの解説書を示す図である。
【図７】図７は本発明の実施の形態１にかかる自然散策効果解析セットを用いた自然散策の手順を示すフローチャートである。
【図８】図８は本発明の実施の形態２にかかる自然散策効果解析装置の構成を示す模式図である。
【図９】図９（ａ）は本発明の実施の形態２にかかる自然散策効果解析装置の具体例を示す斜視図、（ｂ）はその内部構成を示すブロック図である。
【図１０】図１０は本発明の実施の形態２にかかる自然散策効果解析装置において実行されるコンピュータ読み取り可能な記録媒体に記録されたプログラムの内容を示すフローチャートである。
【図１１】図１１は本発明の実施の形態２にかかる自然散策効果解析装置において実行されるコンピュータ読み取り可能な記録媒体に記録された気分入力処理の手順を示すフローチャートである。
【図１２】図１２は本発明の実施の形態２にかかる自然散策効果解析装置において実行されるコンピュータ読み取り可能な記録媒体に記録された色選択処理の手順を示すフローチャートである。
【図１３】図１３は本発明の実施の形態２にかかる自然散策効果解析装置において実行されるコンピュータ読み取り可能な記録媒体に記録された解析データ出力処理の手順を示すフローチャートである。
【符号の説明】
【０１８８】
１  自然散策効果解析セット
２  自然散策効果解析シート
２ａ  参加者の氏名及び自然散策の実施日を記入する欄
２ｂ，２ｃ  数値を記入する欄
２Ｄ  レーダーチャートを作成する欄
３  カラーチップ用ファイル
４Ａ  自然散策前の参加者の写真
４ａ  自然散策前の参加者の写真を貼り付ける欄
４Ｂ  自然散策後の参加者の写真
４ｂ  自然散策後の参加者の写真を貼り付ける欄
５  カラーチップ使用説明書
６  カラーチップ
６ａ  自然散策前のカラーチップを貼り付ける欄
６ｂ  自然散策後のカラーチップを貼り付ける欄
Ｍ１  自然散策効果解析装置
Ｍ１１  コンピュータ読み取り可能な記録媒体
【図１】
2006221216.tif 000003
【図２】
2006221216.tif 000004
【図３】
2006221216.tif 000005
【図４】
2006221216.tif 000006
【図５】
2006221216.tif 000007
【図６】
2006221216.tif 000008
【図７】
2006221216.tif 000009
【図８】
2006221216.tif 000010
【図９】
2006221216.tif 000011
【図１０】
2006221216.tif 000012
【図１１】
2006221216.tif 000013
【図１２】
2006221216.tif 000014
【図１３】
2006221216.tif 000015